(57)【要約】【課題】  各々の被撮影者のパスワードと当該被撮影者の顔画像データとを容易に結合できるようにすると共に、撮影時における被撮影者のパスワードの秘匿性を確保できるようにする。【解決手段】  隠蔽処理が施された撮影受付カード１０を作成するプリンタと、このプリンタによって作成され、かつ、被撮影者５の各々に配布された撮影受付カード１０から画像ＩＤ番号を読み取るバーコードリーダー１４と、被撮影者５を撮影して所定の顔画像データＤfaを取得する撮像素子１２と、被撮影者５の顔画像データＤfa及び画像ＩＤ番号を記憶する内蔵メモリ２３と、システムコントローラー２５とを備え、撮像素子１２により取得された被撮影者５の顔画像データＤfaと、バーコードリーダー１４により撮影受付カード１０から読み取られた当該被撮影者５の画像ＩＤ番号とを関連づけて保存するように内蔵メモリ２３を制御するものである。【選択図】      図３
2005072918.tif 000002
【特許請求の範囲】
【請求項１】
撮影後の各々の被撮影者の撮影画像を利用するための識別情報に基づいて被撮影者の撮影画像を登録するシステムであって、
前記撮影画像を特定するための画像識別情報と、予め隠蔽処理が施され当該隠蔽処理を無効にすることで目視可能となる前記識別情報とを併設した撮影整理媒体を作成する作成手段と、
前記作成手段によって作成され、かつ、被撮影者の各々に配布された前記撮影整理媒体から前記画像識別情報を読み取る情報読取手段と、
前記被撮影者を撮影して所定の撮影画像を取得する撮影手段と、
前記被撮影者の撮影画像及び画像識別情報を記憶する記憶手段と、
前記記憶手段の入出力を制御する制御手段を備え、
前記制御手段は、
前記撮影手段により取得された前記被撮影者の撮影画像と、前記情報読取手段により前記撮影整理媒体から読み取られた当該被撮影者の画像識別情報とを関連づけて保存するように前記記憶手段を制御することを特徴とする撮影画像登録システム。
【請求項２】
前記制御手段は、
予め前記画像識別情報と関連付けた本人識別情報を前記作成手段に提供することを特徴とする請求項１に記載の撮影画像登録システム。
【請求項３】
前記作成手段は、
予め前記画像識別情報と関連付けた本人識別情報を前記制御手段に通知することを特徴とする請求項１に記載の撮影画像登録システム。
【請求項４】
前記作成手段は、
少なくとも、スクラッチカード方式、擦りだし方式、又は、あぶり出し方式のいずれかにより、前記撮影整理媒体で目視可能となる本人識別情報上を隠蔽処理することを特徴とする請求項１に記載の撮影画像登録システム。
【請求項５】
前記制御手段は、
前記撮影手段により取得された前記被撮影者の撮影画像と、前記情報読取手段により前記撮影整理媒体から読み取られた画像識別情報と、前記識別情報に基づいて入力される被撮影者の個人情報とを関連づけて保存するように前記記憶手段を制御することを特徴とする請求項１に記載の撮影画像登録システム。
【請求項６】
前記識別情報に基づいて入力される前記被撮影者の個人情報を前記記憶手段に送信する通信手段を備えることを特徴とする請求項１に記載の撮影画像登録システム。
【請求項７】
撮影後の各々の被撮影者の撮影画像を利用するための識別情報に基づいて被撮影者の撮影画像を登録する方法であって、
前記撮影画像を特定するための画像識別情報と、予め隠蔽処理が施され当該隠蔽処理を無効にすることで目視可能となる前記識別情報とを併設して撮影整理媒体を作成し、その後、当該撮影整理媒体を被撮影者の各々に配布し、
撮影時、
前記被撮影者の撮影整理媒体から画像識別情報を読み取ると共に、当該被撮影者を撮影して所定の撮影画像を取得し、
取得された前記被撮影者の撮影画像と、読み取られた当該被撮影者の画像識別情報とを関連づけて各々保存することを特徴とする撮影画像登録方法。
【請求項８】
撮影後の各々の被撮影者の撮影画像を利用するための識別情報に基づいて被撮影者の撮影画像を登録するシステムであって、
前記撮影画像を特定するための画像識別情報と目視可能な前記識別情報とを併設した二連式の撮影整理媒体を作成する作成手段と、
前記作成手段によって作成され、かつ、前記被撮影者の各々に配布された二連式の撮影整理媒体であって予め切り離された前記撮影整理媒体から当該画像識別情報を読み取る情報読取手段と、
前記被撮影者を撮影して所定の撮影画像を取得する撮影手段と、
前記被撮影者の撮影画像及び画像識別情報を記憶する記憶手段と、
前記記憶手段の入出力を制御する制御手段を備え、
前記制御手段は、
前記撮影手段により取得された前記被撮影者の撮影画像と、予め切り離された前記撮影整理媒体から読み取られた当該被撮影者の画像識別情報とを関連づけて保存するように前記記憶手段を制御することを特徴とする撮影画像登録システム。
【請求項９】
前記制御手段は、
予め前記画像識別情報と関連付けた本人識別情報を前記作成手段に提供することを特徴とする請求項８に記載の撮影画像登録システム。
【請求項１０】
前記作成手段は、
予め前記画像識別情報と関連付けた本人識別情報を前記制御手段に通知することを特徴とする請求項８に記載の撮影画像登録システム。
【請求項１１】
前記制御手段は、
前記撮影手段により取得された前記被撮影者の撮影画像と、前記情報読取手段により前記撮影整理媒体から読み取られた画像識別情報と、前記識別情報に基づいて入力される被撮影者の個人情報とを関連づけて保存するように前記記憶手段を制御することを特徴とする請求項８に記載の撮影画像登録システム。
【請求項１２】
前記識別情報に基づいて入力される前記被撮影者の個人情報を前記記憶手段に送信する通信手段を備えることを特徴とする請求項８に記載の撮影画像登録システム。
【請求項１３】
撮影後の各々の被撮影者の撮影画像を利用するための識別情報に基づいて被撮影者の撮影画像を登録する方法であって、
前記撮影画像を特定するための画像識別情報と目視可能な前記識別情報とを併設して二連式の撮影整理媒体を作成し、その後、当該撮影整理媒体を被撮影者の各々に配布し、
撮影時、
前記被撮影者の二連式の撮影整理媒体から前記情報読取機構によって読取可能な画像識別情報を設けた撮影整理媒体を切り離し、
切り離された前記撮影整理媒体から画像識別情報を読み取ると共に、当該被撮影者を撮影して所定の撮影画像を取得し、
取得された前記被撮影者の撮影画像と、読み取られた当該被撮影者の画像識別情報とを関連づけて各々保存することを特徴とする撮影画像登録方法。
【請求項１４】
撮影後の各々の被撮影者の撮影画像を利用するための識別情報に基づいて被撮影者の撮影画像を登録するシステムであって、
前記撮影画像を特定するための画像識別情報と目視可能な仮識別情報とを併設して撮影整理媒体を作成する作成手段と、
前記作成手段によって作成された撮影整理媒体であって、前記被撮影者の各々に配布された前記撮影整理媒体に関して前記被撮影者から仮識別情報の変更要求を受け付けると共に、新たな識別情報を入力する入力手段と、
前記撮影整理媒体から画像識別情報を読み取る情報読取手段と、
前記被撮影者を撮影して所定の撮影画像を取得する撮影手段と、
前記被撮影者の撮影画像と当該被撮影者の画像識別情報と新たな識別情報とを記憶する記憶手段と、
前記記憶手段の入出力を制御する制御手段を備え、
前記制御手段は、
前記撮影手段によって取得された前記被撮影者の撮影画像と、前記情報読取手段によって読み取られた当該被撮影者の画像識別情報と、前記入力手段によって入力された当該被撮影者の新たな識別情報とを関連づけて各々保存するように前記記憶手段を制御することを特徴とする撮影画像登録システム。
【請求項１５】
前記作成手段によって作成された前記撮影整理媒体の目視可能な仮識別情報を記載した記載領域と、変更後の新たな識別情報を記述する記述領域とが切り離して使用されることを請求項１４に記載の撮影画像登録システム。
【請求項１６】
前記制御手段は、
予め前記画像識別情報と関連付けた仮識別情報を前記作成手段に提供することを特徴とする請求項１４に記載の撮影画像登録システム。
【請求項１７】
前記作成手段は、
予め前記画像識別情報と関連付けた仮識別情報を前記制御手段に通知することを特徴とする請求項１４に記載の撮影画像登録システム。
【請求項１８】
前記制御手段は、
前記撮影手段により取得された前記被撮影者の撮影画像と、前記情報読取手段により前記撮影整理媒体から読み取られた画像識別情報と、前記識別情報に基づいて入力される被撮影者の個人情報とを関連づけて保存するように前記記憶手段を制御することを特徴とする請求項１４に記載の撮影画像登録システム。
【請求項１９】
前記識別情報に基づいて入力される前記被撮影者の個人情報を前記記憶手段に送信する通信手段を備えることを特徴とする請求項１４に記載の撮影画像登録システム。
【請求項２０】
撮影後の各々の被撮影者の撮影画像を利用するための識別情報に基づいて被撮影者の撮影画像を登録する方法であって、
前記撮影画像を特定する画像識別情報と目視可能な仮識別情報とを併設して撮影整理媒体を作成し、その後、当該撮影整理媒体を被撮影者の各々に配布し、
撮影時、
前記被撮影者から識別情報の変更要求を受け付けると共に、新たな識別情報を入力し、
前記撮影整理媒体から識別情報を読み取ると共に、当該被撮影者を撮影して所定の撮影画像を取得し、
取得された前記被撮影者の撮影画像と、読み取られた当該被撮影者の識別情報と、入力された当該被撮影者の新たな識別情報とを関連づけて各々保存することを特徴とする撮影画像登録方法。
【請求項２１】
撮影後の各々の被撮影者の撮影画像を利用するための識別情報に基づいて被撮影者の撮影画像を登録するシステムであって、
前記撮影画像を特定するための画像識別情報を設けた撮影整理媒体を作成する作成手段と、
前記作成手段によって作成され、かつ、前記被撮影者の各々に配布された前記撮影整理媒体から画像識別情報を読み取る情報読取手段と、
前記被撮影者を撮影して所定の撮影画像を取得する撮影手段と、
前記被撮影者の識別情報を設定するように操作される操作手段と、
前記被撮影者の撮影画像、画像識別情報及び識別情報を記憶する記憶手段と、
前記記憶手段の入出力を制御する制御手段を備え、
前記制御手段は、
前記撮影手段によって取得された前記被撮影者の撮影画像と、前記情報読取手段によって読み取られた当該被撮影者の画像識別情報と、前記操作手段によって設定された当該被撮影者の識別情報とを関連づけて各々保存するように前記記憶手段を制御することを特徴とする撮影画像登録システム。
【請求項２２】
前記操作手段によって設定された被撮影者の本人識別情報を表示する表示手段を備えることを特徴とする請求項２１に記載の撮影画像登録システム。
【請求項２３】
前記操作手段によって設定された被撮影者の本人識別情報を印字する印字手段を備えることを特徴とする請求項２１に記載の撮影画像登録システム。
【請求項２４】
前記操作手段によって設定された前記被撮影者の本人識別情報を任意の記録媒体に記録する情報記録手段を備えることを特徴とする請求項２１に記載の撮影画像登録システム。
【請求項２５】
前記被撮影者の識別情報が当該被撮影者の生体情報を利用して生成されることを特徴とする請求項２１に記載の撮影画像登録システム。
【請求項２６】
前記操作手段には、
前記被撮影者の生体情報を読み取る生体情報読取手段が使用されることを特徴とする請求項２１に記載の撮影画像登録システム。
【請求項２７】
前記操作手段には、
前記被撮影者の所有する記録媒体から本人識別情報を読み取る記録情報読取手段が使用されることを特徴とする請求項２１に記載の撮影画像登録システム。
【請求項２８】
前記識別情報に基づいて入力される前記被撮影者の個人情報を前記記憶手段に送信する通信手段を備えることを特徴とする請求項２１に記載の撮影画像登録システム。
【請求項２９】
撮影後の各々の被撮影者の撮影画像を利用するための識別情報に基づいて被撮影者の撮影画像を登録する方法であって、
前記撮影画像を特定するための画像識別情報を設けて撮影整理媒体を作成し、その後、当該撮影整理媒体を被撮影者の各々に配布し、
撮影時、
前記被撮影者の撮影整理媒体から画像識別情報を読み取ると共に、当該被撮影者を撮影して所定の撮影画像を取得し、
前記被撮影者の識別情報を受け付け、
取得された前記被撮影者の撮影画像と、読み取られた当該被撮影者の画像識別情報と、受け付けられた当該被撮影者の識別情報とを関連づけて各々保存することを特徴とする撮影画像登録方法。
【発明の詳細な説明】
【技術分野】
【０００１】
この発明は、パスポートや、身分証明書、図書館利用カード、各種学校における学生証等に形成する顔写真を電子データで提供する顔画像団体撮影サービスシステムに適用して好適な撮影画像登録システム及び撮影画像登録方法に関するものである。
【背景技術】
【０００２】
近年、顔写真の入ったキャッシュカード、従業者証、社員証、会員証、学生証、外国人登録証、パスポート、図書館利用カード及び各種運転免許証などのＩＤカード発行システムが使用される場合が多くなってきた。例えば、従業者数の多い企業では従業者証発行システムが採用される場合が多い。このシステムでは、本社にホストコンピュータが設けられ、そのコンピュータには支社に配属された従業者の個人情報が登録されている。
【０００３】
ここで、個人情報とは氏名、住所、生年月日、従業者証の交付年月日及びその有効期限等をいう。個人情報は文字画像としてカード部材に形成されるものである。支社で例えば従業者証の満期を迎えた者が、その更新を要求する場合に、その者が本社又は支社において、本社のコンピュータにその従業者の個人情報が照会され、本社で照会の結果、その従業者が本社に登録された者であることが確認されると、本社で従業者証を発行するようになされる。更新対象者が多くなると、従業者証発行処理も流れ作業化される場合が多い。このような従業者証発行処理において被撮影者が多くなると、画像撮影システムを分離してＩＤカードを発行する方法が採られるようになる。
【０００４】
この種の画像撮影システムに関連して、特許文献１には、プリントシステム、撮像装置、プリント受け処理装置、プリントサービス方法及び、プリント受付処理方法が開示されている。このプリントシステムによれば、撮像装置、プリント管理装置、プリント受付け処理装置及び、プリント処理装置がネットワークに接続され、プリント受付け処理装置が撮像装置から受信した画像データ単位に識別情報を発行すると共に、撮像装置に識別情報を記憶させ、受信した画像データと識別情報とを関連付けることによって、プリント管理装置がプリント処理装置における印刷を管理するようにしたものである。このような構成を採ると、デジタルカメラで撮像された画像の注文をより簡単に行うことが可能なプリントサービスシステムを構築できるというものである。
【０００５】
【特許文献１】特開２００２−１９１００１号公報
【発明の開示】
【発明が解決しようとする課題】
【０００６】
しかしながら、従来方式の画像撮影システムによれば、以下のような問題がある。
ｉ．従来方式のＩＤカード発行システムから画像撮影システムを分離して、被撮影者の顔画像を集中的に登録し、登録後の顔画像データをインターネット等を通じて取得し、この顔画像データを利用したカード作成システム等を構築しようとした場合に、特許文献１の技術思想をそのまま取り入れただけでは、被撮影者が多くなってくると、被撮影者の撮影画像とその識別情報とを容易かつ円滑に結合することが困難となる。
【０００７】
ii．従って、団体を成す被撮影者の顔撮影をするような場合に、撮影画像の登録処理が複雑化することが懸念される。これは、特許文献１によると、被撮影者の撮影画像を特定するための画像ＩＤ番号は、撮像装置から受信した画像データ単位に識別情報が発行されるが、画像撮影システムへ参入するための被撮影者のパスワードは、撮影画像取得後に結合される場合が多くなるためである。
【０００８】
iii．因みに、パスワードを最初からオープンにして既存の情報処理基盤に流通させる方法が考えられるが、他人のパスワードを悪用し、その他人の顔画像を悪用したＩＤカード等が発行されてしまうことが懸念される。
【０００９】
そこで、この発明は上述した課題を解決したものであって、各々の被撮影者の識別情報と当該被撮影者の撮影画像とを容易に結合できるようにすると共に、撮影時における被撮影者の識別情報の秘匿性を確保できるようにした撮影画像登録システム及び撮影画像登録方法を提供することを目的とする。
【課題を解決するための手段】
【００１０】
上記課題を解決するために、本発明に係る第１の撮影画像登録システムは、撮影後の各々の被撮影者の撮影画像を利用するための識別情報に基づいて被撮影者の撮影画像を登録するシステムであって、撮影画像を特定するための画像識別情報と、予め隠蔽処理が施され当該隠蔽処理を無効にすることで目視可能となる識別情報とを併設した撮影整理媒体を作成する作成手段と、この作成手段によって作成され、かつ、被撮影者の各々に配布された撮影整理媒体から画像識別情報を読み取る情報読取手段と、被撮影者を撮影して所定の撮影画像を取得する撮影手段と、被撮影者の撮影画像及び画像識別情報を記憶する記憶手段と、この記憶手段の入出力を制御する制御手段を備え、制御手段は、撮影手段により取得された被撮影者の撮影画像と、情報読取手段により撮影整理媒体から読み取られた当該被撮影者の画像識別情報とを関連づけて保存するように記憶手段を制御することを特徴とするものである。
【００１１】
本発明に係る第１の撮影画像登録システムによれば、撮影後の各々の被撮影者の撮影画像を利用するための画像識別情報に基づいて当該被撮影者の撮影画像を登録する場合に、撮影画像を特定するための画像識別情報と、予め隠蔽処理が施され当該隠蔽処理を無効にすることで目視可能となる識別情報とを併設した撮影整理媒体が予め作成手段によって作成される。
【００１２】
これを前提にして、情報読取手段は作成手段によって作成された撮影整理媒体であって、撮影時に、被撮影者の各々に配布された撮影整理媒体から画像識別情報を読み取るようになされる。撮影手段は被撮影者を撮影して所定の撮影画像を取得するようになされる。制御手段は、被撮影者の撮影画像と当該被撮影者の画像識別情報とを関連づけて保存するように記憶手段を制御する。記憶手段には、撮影手段により取得された被撮影者の撮影画像と、情報読取手段により撮影整理媒体から読み取られた当該被撮影者の画像識別情報とが関連づけて記憶される。
【００１３】
従って、予め各々の被撮影者に配布された識別情報と、当該被撮影者の撮影画像とを容易に結合することができ、従来方式に比べて登録処理を複雑化することなく複数の被撮影者の撮影画像を登録することができる。しかも、撮影終了後に隠蔽処理を無効とするように取り決めれば、撮影終了後に識別情報が目視可能となるので、少なくとも、撮影時に、被撮影者の識別情報の漏洩を防止できるようになる。従って、撮影時における被撮影者の識別情報の秘匿性を確保することができる。
【００１４】
本発明に係る第１の撮影画像登録方法は、撮影後の各々の被撮影者の撮影画像を利用するための識別情報に基づいて被撮影者の撮影画像を登録する方法であって、撮影画像を特定するための画像識別情報と、予め隠蔽処理が施され当該隠蔽処理を無効にすることで目視可能となる識別情報とを併設して撮影整理媒体を作成し、その後、当該撮影整理媒体を被撮影者の各々に配布し、撮影時、被撮影者の撮影整理媒体から画像識別情報を読み取ると共に、当該被撮影者を撮影して所定の撮影画像を取得し、ここで取得された被撮影者の撮影画像と、読み取られた当該被撮影者の画像識別情報とを関連づけて各々保存することを特徴とするものである。
【００１５】
本発明に係る第１の撮影画像登録方法によれば、撮影後の各々の被撮影者の撮影画像を利用するための識別情報に基づいて当該被撮影者の撮影画像を登録する場合に、予め各々の被撮影者に配布した識別情報と、当該被撮影者の撮影画像とを容易に結合することができ、従来方式に比べて登録処理を複雑化することなく複数の被撮影者の撮影画像を登録することができる。
【００１６】
しかも、撮影終了後に隠蔽処理を無効とするように取り決めれば、撮影終了後に識別情報が目視可能となるので、少なくとも、撮影時に、被撮影者の識別情報の漏洩を防止できるようになる。従って、撮影時における被撮影者の識別情報の秘匿性を確保することができる。
【００１７】
本発明に係る第２の撮影画像登録システムは、撮影後の各々の被撮影者の撮影画像を利用するための識別情報に基づいて被撮影者の撮影画像を登録するシステムであって、撮影画像を特定するための画像識別情報と目視可能な識別情報とを併設した二連式の撮影整理媒体を作成する作成手段と、この作成手段によって作成され、かつ、被撮影者の各々に配布された二連式の撮影整理媒体であって予め切り離された撮影整理媒体から当該画像識別情報を読み取る情報読取手段と、被撮影者を撮影して所定の撮影画像を取得する撮影手段と、被撮影者の撮影画像及び画像識別情報を記憶する記憶手段と、この記憶手段の入出力を制御する制御手段を備え、制御手段は、撮影手段により取得された被撮影者の撮影画像と、予め切り離された撮影整理媒体から読み取られた当該被撮影者の画像識別情報とを関連づけて保存するように記憶手段を制御することを特徴とするものである。
【００１８】
本発明に係る第２の撮影画像登録システムによれば、撮影後の各々の被撮影者の撮影画像を利用するための識別情報に基づいて当該被撮影者の撮影画像を登録する場合に、撮影画像を特定するための画像識別情報と目視可能な識別情報とを併設した二連式の撮影整理媒体が作成手段によって作成される。これを前提にして、情報読取手段は作成手段によって予め作成され、かつ、予め被撮影者の各々に配布された二連式の撮影整理媒体であって、撮影画像を特定するための画像識別情報が設けられた撮影整理媒体が予め切り離され、ここで切り離された撮影整理媒体から当該画像識別情報を読み取るようになされる。
【００１９】
撮影手段は被撮影者を撮影して所定の撮影画像を取得するようになされる。制御手段は、被撮影者の撮影画像と当該被撮影者の画像識別情報とを関連づけて保存するように記憶手段を制御する。記憶手段には、撮影手段により取得された被撮影者の撮影画像と、情報読取手段により撮影整理媒体から読み取られた当該被撮影者の画像識別情報とが関連づけて記憶される。
【００２０】
従って、予め各々の被撮影者に配布した識別情報と、当該被撮影者の撮影画像とを容易に結合することができ、従来方式に比べて登録処理を複雑化することなく複数の被撮影者の撮影画像を登録することができる。しかも、撮影時、被撮影者の二連式の撮影整理媒体から情報読取機構によって読取可能な画像識別情報を設けた撮影整理媒体のみを切り離して提出するように取り決めれば、目視可能な識別情報が設けられた撮影整理媒体が被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００２１】
本発明に係る第２の撮影画像登録方法は、撮影後の各々の被撮影者の撮影画像を利用するための識別情報に基づいて被撮影者の撮影画像を登録する方法であって、撮影画像を特定するための画像識別情報と目視可能な識別情報とを併設して二連式の撮影整理媒体を作成し、その後、当該撮影整理媒体を被撮影者の各々に配布し、撮影時、被撮影者の二連式の撮影整理媒体から情報読取機構によって読取可能な画像識別情報を設けた撮影整理媒体を切り離し、ここで切り離された撮影整理媒体から画像識別情報を読み取ると共に、当該被撮影者を撮影して所定の撮影画像を取得し、ここで取得された被撮影者の撮影画像と、読み取られた当該被撮影者の画像識別情報とを関連づけて各々保存することを特徴とするものである。
【００２２】
本発明に係る第２の撮影画像登録方法によれば、撮影後の各々の被撮影者の撮影画像を利用するための識別情報に基づいて当該被撮影者の撮影画像を登録する場合に、予め各々の被撮影者に配布した識別情報と、当該被撮影者の撮影画像とを容易に結合することができ、従来方式に比べて登録処理を複雑化することなく複数の被撮影者の撮影画像を登録することができる。しかも、撮影時、被撮影者の二連式の撮影整理媒体から情報読取機構によって読取可能な画像識別情報を設けた撮影整理媒体のみを切り離して提出するように取り決めれば、目視可能な識別情報が設けられた撮影整理媒体が被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００２３】
本発明に係る第３の撮影画像登録システムは、撮影後の各々の被撮影者の撮影画像を利用するための識別情報に基づいて被撮影者の撮影画像を登録するシステムであって、撮影画像を特定するための画像識別情報と目視可能な仮識別情報とを併設して撮影整理媒体を作成する作成手段と、この作成手段によって作成された撮影整理媒体であって、被撮影者の各々に配布された撮影整理媒体に関して被撮影者から仮識別情報の変更要求を受け付けると共に、新たな識別情報を入力する入力手段と、撮影整理媒体から画像識別情報を読み取る情報読取手段と、被撮影者を撮影して所定の撮影画像を取得する撮影手段と、被撮影者の撮影画像と当該被撮影者の画像識別情報と新たな識別情報とを記憶する記憶手段と、この記憶手段の入出力を制御する制御手段を備え、制御手段は、撮影手段によって取得された被撮影者の撮影画像と、情報読取手段によって読み取られた当該被撮影者の画像識別情報と、入力手段によって入力された当該被撮影者の新たな識別情報とを関連づけて各々保存するように記憶手段を制御することを特徴とするものである。
【００２４】
本発明に係る第３の撮影画像登録システムによれば、撮影後の各々の被撮影者の撮影画像を利用するための識別情報に基づいて被撮影者の撮影画像を登録する場合に、撮影画像を特定するための画像識別情報と目視可能な仮識別情報とを併設した撮影整理媒体が作成手段によって作成される。これを前提にして、作成手段によって作成された撮影整理媒体であって、被撮影者の各々に配布された撮影整理媒体に関して被撮影者から仮識別情報の変更要求を受け付けられると共に、新たな識別情報が入力手段により入力される。
【００２５】
撮影手段は被撮影者を撮影して所定の撮影画像を取得するようになされる。制御手段は、被撮影者の撮影画像と、当該被撮影者の画像識別情報と、新たに入力された識別情報とを関連づけて保存するように記憶手段を制御する。記憶手段には、撮影手段により取得された被撮影者の撮影画像と、情報読取手段により撮影整理媒体から読み取られた当該被撮影者の画像識別情報と、入力手段により入力された新たな識別情報とが関連づけて記憶される。
【００２６】
従って、予め各々の被撮影者に配布した仮識別情報を撮影時に容易に変更すること、変更された新たな識別情報と当該被撮影者の撮影画像とを容易に結合することができる。しかも、撮影時、撮影整理媒体の目視可能な仮識別情報を記載した記載領域と、変更後の新たな識別情報を記述する記述領域とを切り離して使用するように取り決めれば、変更後の新たな識別情報を記述した記述領域を含む撮影整理媒体の傍らが被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００２７】
本発明に係る第３の撮影画像登録方法は、撮影後の各々の被撮影者の撮影画像を利用するための識別情報に基づいて被撮影者の撮影画像を登録する方法であって、撮影画像を特定するための画像識別情報と目視可能な仮識別情報とを併設して撮影整理媒体を作成し、その後、当該撮影整理媒体を被撮影者の各々に配布し、撮影時、被撮影者から識別情報の変更要求を受け付けると共に、新たな識別情報を入力し、撮影整理媒体から識別情報を読み取ると共に、当該被撮影者を撮影して所定の撮影画像を取得し、ここで取得された被撮影者の撮影画像と、読み取られた当該被撮影者の識別情報と、入力された当該被撮影者の新たな識別情報とを関連づけて各々保存することを特徴とするものである。
【００２８】
本発明に係る第３の撮影画像登録方法によれば、撮影後の各々の被撮影者の撮影画像を利用するための識別情報に基づいて被撮影者の撮影画像を登録する場合に、予め各々の被撮影者に配布した仮識別情報を容易に変更すること、変更された新たな識別情報と当該被撮影者の撮影画像とを容易に結合することができる。
【００２９】
しかも、撮影時、撮影整理媒体の目視可能な仮識別情報を記載した記載領域と、変更後の新たな識別情報を記述する記述領域とを切り離して使用するように取り決めれば、変更後の新たな識別情報を記述した記述領域を含む撮影整理媒体の傍らが被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００３０】
本発明に係る第４の撮影画像登録システムは、撮影後の各々の被撮影者の撮影画像を利用するための識別情報に基づいて被撮影者の撮影画像を登録するシステムであって、撮影画像を特定するための画像識別情報を設けた撮影整理媒体を作成する作成手段と、この作成手段によって作成され、かつ、被撮影者の各々に配布された撮影整理媒体から画像識別情報を読み取る情報読取手段と、被撮影者を撮影して所定の撮影画像を取得する撮影手段と、被撮影者の識別情報を設定するように操作される操作手段と、被撮影者の撮影画像、画像識別情報及び識別情報を記憶する記憶手段と、この記憶手段の入出力を制御する制御手段を備え、制御手段は、撮影手段によって取得された被撮影者の撮影画像と、情報読取手段によって読み取られた当該被撮影者の画像識別情報と、操作手段によって設定された当該被撮影者の識別情報とを関連づけて各々保存するように記憶手段を制御することを特徴とするものである。
【００３１】
本発明に係る第４の撮影画像登録システムによれば、撮影後の各々の被撮影者の撮影画像を利用するための識別情報に基づいて被撮影者の撮影画像を登録する場合に、撮影画像を特定するための画像識別情報を設けた撮影整理媒体が作成手段によって作成される。この作成手段によって作成された撮影整理媒体であって、被撮影者の各々に配布された撮影整理媒体から画像識別情報が情報読取手段によって読み取られる。撮影手段は、被撮影者を撮影して所定の撮影画像を取得するようになされる。操作手段は被撮影者の識別情報を設定するように操作される。
【００３２】
これを前提にして、制御手段は、撮影手段によって取得された被撮影者の撮影画像と、情報読取手段によって読み取られた当該被撮影者の画像識別情報と、操作手段によって設定された当該被撮影者の識別情報とを関連づけて各々保存するように記憶手段を制御する。記憶手段には、被撮影者の撮影画像、画像識別情報及び識別情報が関連付けられて記憶される。
【００３３】
従って、撮影時に設定された被撮影者の識別情報と、当該被撮影者の撮影画像とを容易に結合することができる。しかも、識別情報設定時に、被撮影者の識別情報の表示及び印字出力を制限するようにすれば、他人には識別情報が露呈されないので、少なくとも、撮影時に、被撮影者の識別情報の漏洩を防止できるようになる。従って、撮影時における被撮影者の識別情報の秘匿性を確保することができる。
【００３４】
本発明に係る第４の撮影画像登録方法は、撮影後の各々の被撮影者の撮影画像を利用するための識別情報に基づいて被撮影者の撮影画像を登録する方法であって、撮影画像を特定するための画像識別情報を設けて撮影整理媒体を作成し、その後、当該撮影整理媒体を被撮影者の各々に配布し、撮影時、被撮影者の撮影整理媒体から画像識別情報を読み取ると共に、当該被撮影者を撮影して所定の撮影画像を取得し、被撮影者の識別情報を受け付け、取得された被撮影者の撮影画像と、読み取られた当該被撮影者の画像識別情報と、受け付けられた当該被撮影者の識別情報とを関連づけて各々保存することを特徴とするものである。
【００３５】
本発明に係る第４の撮影画像登録方法によれば、撮影後の各々の被撮影者の撮影画像を利用するための識別情報に基づいて被撮影者の撮影画像を登録する場合に、撮影時に設定された被撮影者の識別情報と、当該被撮影者の撮影画像とを容易に結合することができる。
【００３６】
しかも、識別情報設定時に、被撮影者の識別情報の表示及び印字出力を制限するようにすれば、他人には識別情報が露呈されないので、少なくとも、撮影時に、被撮影者の識別情報の漏洩を防止できるようになる。従って、撮影時における被撮影者の識別情報の秘匿性を確保することができる。
【発明の効果】
【００３７】
本発明に係る第１の撮影画像登録システム及び撮影画像登録方法によれば、撮影画像を特定するための画像識別情報と、予め隠蔽処理が施され当該隠蔽処理を無効にすることで目視可能となる識別情報とを併設して作成された撮影整理媒体に基づいて記憶手段を制御する制御手段を備え、この制御手段は、撮影手段により取得された被撮影者の撮影画像と、情報読取手段により撮影整理媒体から読み取られた当該被撮影者の画像識別情報とを関連づけて保存するように記憶手段を制御するものである。
【００３８】
この構成によって、予め各々の被撮影者に配布された識別情報と、当該被撮影者の撮影画像とを容易に結合することができ、従来方式に比べて登録処理を複雑化することなく複数の被撮影者の撮影画像を登録することができる。しかも、撮影終了後に隠蔽処理を無効とするように取り決めれば、撮影終了後に識別情報が目視可能となるので、少なくとも、撮影時に、被撮影者の識別情報の漏洩を防止できるようになる。従って、撮影時における被撮影者の識別情報の秘匿性を確保することができる。
【００３９】
本発明に係る第２の撮影画像登録システム及び撮影画像登録方法によれば、撮影後の各々の被撮影者の撮影画像を利用するための識別情報に基づいて当該被撮影者の撮影画像を登録する場合に、撮影画像を特定するための画像識別情報と目視可能な識別情報とを併設して作成された二連式の撮影整理媒体に基づいて記憶手段を制御する制御手段を備え、この制御手段は、撮影手段により取得された被撮影者の撮影画像と、予め切り離された撮影整理媒体から読み取られた当該被撮影者の画像識別情報とを関連づけて保存するように記憶手段を制御するものである。
【００４０】
この構成によって、予め各々の被撮影者に配布した識別情報と、当該被撮影者の撮影画像とを容易に結合することができ、従来方式に比べて登録処理を複雑化することなく複数の被撮影者の撮影画像を登録することができる。しかも、撮影時、被撮影者の二連式の撮影整理媒体から情報読取機構によって読取可能な画像識別情報を設けた撮影整理媒体のみを切り離して提出するように取り決めれば、目視可能な識別情報が設けられた撮影整理媒体が被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００４１】
本発明に係る第３の撮影画像登録システム及び撮影画像登録方法によれば、撮影後の各々の被撮影者の撮影画像を利用するための識別情報に基づいて被撮影者の撮影画像を登録する場合に、撮影画像を特定するための画像識別情報と目視可能な仮識別情報とを併設して作成された撮影整理媒体に基づいて記憶手段を制御する制御手段を備え、この制御手段は、撮影手段によって取得された被撮影者の撮影画像と、情報読取手段によって読み取られた当該被撮影者の画像識別情報と、入力手段によって入力された当該被撮影者の新たな識別情報とを関連づけて各々保存するように記憶手段を制御するものである。
【００４２】
この構成によって、予め各々の被撮影者に配布した仮識別情報を撮影時に容易に変更すること、変更された新たな識別情報と、当該被撮影者の撮影画像とを容易に結合することができる。しかも、撮影時、撮影整理媒体の目視可能な仮識別情報を記載した記載領域と、変更後の新たな識別情報を記述する記述領域とを切り離して使用するように取り決めれば、変更後の新たな識別情報を記述した記述領域を含む撮影整理媒体の傍らが被撮影者の手元に残って、他人には露呈されないので、少なくとも、撮影時に、被撮影者の識別情報の漏洩を防止できるようになる。従って、撮影時における被撮影者の識別情報の秘匿性を確保することができる。
【００４３】
本発明に係る第４の撮影画像登録システム及び撮影画像登録方法によれば、撮影後の各々の被撮影者の撮影画像を利用するための識別情報に基づいて被撮影者の撮影画像を登録する場合に、識別情報の設定に基づいて記憶手段を制御する制御手段を備え、この制御手段は、撮影手段によって取得された被撮影者の撮影画像と、撮影整理媒体から読み取られた当該被撮影者の画像識別情報と、操作手段によって設定された当該被撮影者の識別情報とを関連づけて各々保存するように記憶手段を制御するものである。
【００４４】
この構成によって、撮影時に設定された被撮影者の識別情報と、当該被撮影者の撮影画像とを容易に結合することができる。しかも、識別情報設定時に、被撮影者の識別情報の表示及び印字出力を制限するようにすれば、他人には識別情報が露呈されないので、少なくとも、撮影時に、被撮影者の識別情報の漏洩を防止できるようになる。従って、撮影時における被撮影者の識別情報の秘匿性を確保することができる。
【発明を実施するための最良の形態】
【００４５】
以下、図面を参照しながら、この発明の実施形態に係る撮影画像登録システム及び撮影画像登録方法について説明をする。
図１は、本発明の実施形態としての撮影画像登録システム１００の構成例を示す概念図である。
この実施形態では、撮影後の各々の被撮影者の撮影画像を利用するための識別情報に基づいて当該被撮影者の撮影画像を登録する場合に、撮影画像を特定するための画像識別情報と、予め隠蔽処理が施され当該隠蔽処理を無効にすることで目視可能となる本人識別情報とを併設して作成された撮影整理媒体に基づいて記憶手段を制御する制御手段を備える。
【００４６】
制御手段は撮影手段により取得された被撮影者の撮影画像と、情報読取手段により撮影整理媒体から読み取られた当該被撮影者の画像識別情報とを関連づけて保存する。そして、予め各々の被撮影者に配布された本人識別情報と、当該被撮影者の撮影画像とを容易に結合できるようにすると共に、従来方式に比べて登録処理を複雑化することなく複数の被撮影者の撮影画像を登録できるようにする。しかも、撮影時における被撮影者の本人識別情報の秘匿性を確保できるようにしたものである。
【００４７】
図１に示す第１の撮影画像登録システム１００は、予め準備された識別情報に基づいて被撮影者５の顔画像（撮影画像）を登録するシステムである。このシステム１００は、パスポートや、身分証明書、図書館利用カード、各種学校における学生証等に形成する顔写真を電子データで提供する顔画像団体撮影サービスシステムに適用して好適である。ここに識別情報とは、撮影後の各々の被撮影者５の画像情報を識別するための情報をいう。この識別情報には、被撮影者５を特定するための本人識別情報（以下パスワードＰＷという）及び／又は被撮影者５の撮影画像を特定するための画像識別情報（以下画像ＩＤ番号という）が含まれる。
【００４８】
撮影画像登録システム１００は、顔画像撮影システム２０及び画像情報登録装置３０を備えている。被撮影者側には通信手段を備えた情報処理装置（以下単にパソコン４０という）が準備されることが好ましい。パソコン４０の通信手段は、顔画像情報（以下顔画像データＤfaという）を顔画像登録管理業者に登録した後、例えば、ネットワーク試験業者（会員制業者）のサーバー１へ個人情報Ｄ１を送信する際に使用するためである。情報処理装置にはデスクトップ型又はノード型のパーソナルコンピュータが使用される。
【００４９】
パソコン４０には、図示しない通信モデム内蔵の制御装置の他に操作手段の一例となるマウス４１、キーボード４２や、表示手段の一例となるモニタ４３が備えられる。マウス４１、キーボード４２は、自分の顔画像を利用するための個人情報Ｄ１を入力するように操作される。モニタ４３には液晶ディスプレイや、ＣＲＴ管等が使用される。
【００５０】
画像情報登録装置３０は顔画像登録管理業者に配置される。顔画像撮影システム２０は顔画像登録管理業者と業務提携された写真店や、フォトカプセル（写真撮影ボックス）等に設けられる。顔画像撮影システム２０には、デジタル方式のカメラ２１、バーコードリーダー１４及び通信機能付き情報処理装置（以下単にパソコン８０という）が備えられる。
【００５１】
カメラ２１は撮影手段の一例であり、被撮影者５を撮影して顔画像データＤfaを取得するように操作される。カメラ２１には撮像機能の他に、画像表示部（以下モニタともいう）２２及び操作部２４が備えられ、被撮影者５の顔画像を表示できるようになされる（図３参照）。
【００５２】
この例で、カメラ２１には情報読取手段の一例となるバーコードリーダー１４が接続され、顔画像登録管理業者のプリンタ３３によって作成され、かつ、予め被撮影者５に配布された撮影受付カード１０からバーコードＢＣを読み取るように操作される。バーコードリーダー１４はカメラ２１にコード読取信号Ｓｂを出力する。カメラ２１は、バーコードリーダー１４から出力されるコード読取信号Ｓｂを解析して画像ＩＤ番号を検出する。また、カメラ２１は被撮影者５の顔画像データＤfaと画像ＩＤ番号とを関連付けて結合処理するようになされる。
【００５３】
パソコン８０は、図示しない通信モデム内蔵の制御装置の他にマウス８１、キーボード８２及びモニタ８３を備えている。モニタ８３には液晶ディスプレイや、ＣＲＴ管等が使用される。パソコン８０は上述のカメラ２１に接続されると共に、図示しない通信モデムを通じて通信手段２に接続される。パソコン８０の通信モデムは、画像情報登録装置３０と通信処理する際に使用される。通信モデムにはＡＤＳＬ等の高速通信モデムが使用される。
【００５４】
パソコン８０には、通信手段２を通じて画像情報登録装置３０が接続され、顔画像撮影システム２０で情報結合処理した被撮影者５の画像ＩＤ番号及び顔画像データＤfaを通信手段２を通じて画像情報登録装置３０に登録するようになされる。通信手段２にはインターネットや公衆電話回線が使用される。通信手段２には会員制業者のサーバー１が接続される。サーバー１は、例えば、撮影画像登録システム１００を応用したネットワーク試験受験システム等を構成するようになる。
【００５５】
また、パソコン８０には、図示しないＣＤ−ＲＯＭドライバや、ＤＶＤドライバ等が含まれる。これらのドライバに光磁気ディスク（ＭＯ）１８を装着して被撮影者５の画像ＩＤ番号及び顔画像データＤfaを記録するようになされる。ＭＯ１８は画像情報登録装置３０の設置場所に搬送される。顔画像登録管理業者において、ＭＯ１８から被撮影者５の画像ＩＤ番号及び顔画像データＤfaが読み出され、顔画像登録するように処理される。
【００５６】
インターネット等の通信手段２に接続される画像情報登録装置３０は、顔画像撮影システム２０によって情報結合処理された被撮影者５の画像ＩＤ番号＋顔画像データＤfaをパスワードＰＷと共に登録するものである。画像情報登録装置３０は、例えば、情報管理装置３１と顔画像サーバー３２とを備える。情報管理装置３１にはデスクトップ型又はノード型のパソコンが使用される。情報管理装置３１は画像ＩＤ番号やパスワードＰＷ等に関して発番処理をするようになされる。情報管理装置３１は、例えば、予め割り当てられた画像ＩＤ番号やパスワードＰＷ等を発番処理する。
【００５７】
顔画像サーバー３２は、顔画像撮影システム２０から登録される被撮影者５の顔画像データＤfa及び情報管理装置３１によって発番処理される画像ＩＤ番号やパスワードＰＷ等を記憶するようになされる。例えば、顔画像サーバー３２には、パソコン８０により暗号化された被撮影者５の顔特徴部分となる顔部位構成画像と、当該被撮影者５の顔特徴部分を含む顔全体縮小画像とを関連付けて記憶するようになされる。
【００５８】
顔画像サーバー３２は記憶機能の他に情報処理制御機能を有している。この例で画像情報登録装置３０は、画像ＩＤ番号やパスワードＰＷ等を予め作成すると共に、当該画像ＩＤ番号やパスワードＰＷ等を被撮影者５の各々に通知するように操作される。もちろん、これに限られることはなく、パスワードＰＷは撮影時に被撮影者からの提示により設定するようにしてもよい。
【００５９】
画像情報登録装置３０には、作成手段の一例となるプリンタ３３が備えられ、情報管理装置３１により発番処理された画像ＩＤ番号やパスワードＰＷ等に関して、撮影整理媒体の一例となる団体撮影用の撮影受付カード１０を作成するようになされる。上述の情報管理装置３１は、予め画像ＩＤ番号と関連付けたパスワードＰＷをプリンタ３３に提供する。又は、プリンタ３３は予め画像ＩＤ番号と関連付けたパスワードＰＷを情報管理装置３１に通知する。画像ＩＤ番号とパスワードＰＷの関連付けを明確にするためである。
【００６０】
撮影受付カード１０は、被撮影者５の顔画像データＤfaを特定するための画像ＩＤ番号と、予め隠蔽処理が施され当該隠蔽処理を無効にすることで目視可能となるパスワードＰＷとが併設されて成るものである。画像ＩＤ番号は顔画像登録管理業者側でバーコードＢＣにして撮影受付カード１０に形成される。
【００６１】
プリンタ３３は所定の厚みの用紙に、例えば、団体撮影用の撮影受付カードのタイトルと共に、画像ＩＤ番号や、バーコードＢＣ等を印刷し、これを印字出力して、この撮影受付カード１０を被撮影者５の各々に配布するように取り扱われる。この例でプリンタ３３は、少なくとも、スクラッチカード方式、擦りだし方式、又は、あぶり出し方式のいずれかにより、撮影受付カード１０で目視可能となるパスワードＰＷ上を隠蔽処理するようになされる（図４参照）。
【００６２】
図２は撮影画像登録システムを応用したネット試験受験システム１０１における処理例を示す構成図である。
図２に示すネット試験受験システム１０１は、撮影画像登録システムの一例であり、被撮影者５の登録済みの画像ＩＤ番号、パスワードＰＷ及び顔画像データＤfaに基づいて、当該システム１０１に参加可能な受験カード９を作成するシステムである。このシステム１０１は、インターネット等の通信手段２を通じて各種教育を提供するｅ−ラーニングに適用して極めて好適である。
【００６３】
図２において、ネット試験受験システム１０１に参加して受験を希望する受験者５’は、予め顔画像撮影システム２０に出向き、自分の顔を撮影してもらい、画像ＩＤ番号＋顔画像データＤfaを顔画像登録管理業者に登録するようになされる。顔画像撮影システム２０は、被撮影者５の顔撮影に関して、個々人の撮影を対象として写真店撮影や、フォトカプセル撮影、学校等を対象とした団体撮影を実行可能となされている。
【００６４】
顔画像撮影システム２０には、例えば、撮影者が待機され、図３に示すようなカメラ２１等の機器が備えられ、被撮影者である受験者５’を撮影して顔画像データＤfaを取得するようになされる。顔画像データＤfaには画像ＩＤ番号が付加される。その後、ステップ＃１で画像ＩＤ番号＋顔画像データＤfaは顔画像撮影システム２０から顔画像登録管理業者の顔画像サーバー３２へ登録される。
【００６５】
顔撮影を終了した受験者５’は、その後、ステップ＃２で、例えば、自宅等のパソコンからネット試験受験センター等が有する会員制業者サーバー１に個人情報Ｄ１を通知（入力）するようになされる。この個人情報Ｄ１には、氏名、住所、生年月日が含まれる。個人情報Ｄ１は会員制業者サーバー１に登録され、文字画像として受験カード９等に形成されるものである。
【００６６】
そして、ネット試験受験センター等は、ステップ＃３でその会員制業者サーバー１から顔画像登録管理業者の顔画像サーバー３２へ個人情報Ｄ１を転送し、受験カード９の作成を発注するようになされる。顔画像登録管理業者では、画像ＩＤ番号に基づいて顔画像サーバー３２から当該受験者５’の顔画像データＤfaを読み出す。顔画像データＤfaは、当該受験者５’の個人情報Ｄ１と結合され、ステップ＃４でカード作成システム６へデータ転送される。
【００６７】
カード作成システム６では当該受験者５’の顔画像データＤfaに基づいて顔画像を受験カード９に形成すると共に、個人情報Ｄ１に基づいて受験カード９に氏名、住所、生年月日を印刷（形成）する。その後、ステップ＃５で受験カード９が受験者５’に製品発送される。これにより、受験者５’はネット試験受験システム１０１における受験会場に受験カード９を持参し、ネット試験を受験できるようになる。
【００６８】
図３はカメラ２１の内部構成例を示すブロック図である。図３に示すカメラ２１は、撮影手段の一例であり、被撮影者５を撮影してデジタルの顔画像データＤfaを出力（取得）するように操作される。例えば、フォトカプセルの場合、被撮影者５はカメラ２１の前にセットされた椅子に着席して顔写真を撮影するようになされる。このカメラ２１はデジタルカメラを構成し、画像ＩＤ番号＋顔画像データＤfaを顔画像サーバー３２にアップロード（登録）するようになされる。
【００６９】
カメラ２１はレンズ１１、システムコントローラー２５及び表示制御部２６を有しており、このシステムコントローラー２５には、撮像素子１２、画像処理部１３、バッファメモリ１５、圧縮／伸長部１６、画像表示部２２、内蔵メモリ２３、操作部２４、周辺機器インターフェース２７及び外付けＰＣインターフェース２８が接続される。
【００７０】
図３に示すレンズ１１は被撮影者５の顔映像を撮像素子１２上に結像する。撮像素子１２はレンズ１１によって結像された被撮影者５の顔映像を撮像し、アナログの顔撮像信号Ｓinを画像処理部１３に出力する。
【００７１】
画像処理部１３は撮像素子１２に接続され、顔撮像信号Ｓinをアナログ・デジタル変換（Ａ／Ｄ変換）をしてデジタルの顔画像データＤfaを出力する。画像処理部１３は上述したＡ／Ｄ変換処理の他に被撮影者５の顔画像データＤfaと、制御手段を構成するシステムコントローラー２５からの画像ＩＤ番号とを関連付けて結合処理するようになされる。この結合処理後の顔画像データＤfa＋画像ＩＤ番号はバッファメモリ１５に一時記憶される。画像処理部１３は画像切出し手段を構成し、被撮影者５の全体顔画像から、目、耳、鼻又は／及び口に係る顔部位構成画像を切出すようになされる。目、耳、鼻及び口等は当該被撮影者５を特定する（認証する）ための特徴部分である。
【００７２】
システムコントローラー２５にはバーコードリーダー１４が接続され、被撮影者５の撮影受付カード１０からバーコードＢＣを読み取るように操作される。この読み取りは画像ＩＤ番号を得るためである。なお、撮影受付カード１０は予め被撮影者５に配布される。撮影受付カード１０には、撮影前に画像ＩＤ番号をバーコードＢＣにして印刷されている。バーコードリーダー１４はシステムコントローラー２５にコード読取信号Ｓｂを出力する。システムコントローラー２５は、バーコードリーダー１４から出力されるコード読取信号Ｓｂを復号化（解読）して画像ＩＤ番号を検出（取得）する。
【００７３】
システムコントローラー２５には更に操作部２４が接続され、顔画像データＤfaを特定するための画像ＩＤ番号や、被撮影者５の個人情報等を入力する際に操作される。操作部２４には、図示しないシャッターの他に各種押しボタンや、テンキー、キーボード等から構成される。この操作部２４を使用して撮影日情報を入力してもよい。画像ＩＤ番号及び撮影日情報は、操作データＤ３としてシステムコントローラー２５に出力される。上述のバッファメモリ１５には圧縮／伸長部１６が接続され、顔画像データＤfaを圧縮して符号化される。また、圧縮／伸長部１６は圧縮済みの顔画像データＤfaを伸長して復号化する。
【００７４】
圧縮／伸長部１６には内蔵メモリ２３が接続される。内蔵メモリ２３には、撮像素子１２によって取得された被撮影者５の画像ＩＤ番号＋顔画像データＤfaが記憶される。内蔵メモリ２３にはＤＲＡＭやハードディスク等が使用される。被撮影者５の画像ＩＤ番号＋顔画像データＤfaは、顔画像サーバー３２に登録するまで内蔵メモリ２３で保持しておくことが好ましい。
【００７５】
上述のシステムコントローラー２５は、内蔵メモリ２３の入出力を制御する。例えば、システムコントローラー２５は、撮像素子１２により取得された被撮影者５の顔画像データＤfaと、バーコードリーダー１４により撮影受付カード１０から読み取られた当該被撮影者５の画像ＩＤ番号とを関連づけて保存するように内蔵メモリ２３を制御する。もちろん、被撮影者５の画像ＩＤ番号＋顔画像データＤfaと、当該被撮影者５の個人情報とを結合して内蔵メモリ２３に保存するようにしてもよい。
【００７６】
この他に、システムコントローラー２５は、撮像素子１１や、画像表示部２２、操作部２４、周辺機器インターフェース２７及び、外付けＰＣインターフェース２８等の入出力を制御する。システムコントローラー２５は、ＲＯＭ（Read Only Memory）５１、ＲＡＭ（Random Access Memory）５２、ＣＰＵ（Central Processing Unit；中央処理ユニット）５３を有している。ＲＯＭ５１には当該撮影装置全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作部２４からの操作データＤ３に基づいて当該カメラ全体を制御するようになされる。
【００７７】
上述のバッファメモリ１５には表示制御部２６が接続され、この表示制御部２６には画像表示部２２が接続される。画像表示部２２には液晶ディスプレイや、ＣＲＴ（陰極線管）が使用される。表示制御部２６はバッファメモリ１５から読み出された顔画像データＤfaに基づいて被撮影者５の顔をカラー表示するための表示データＤ２を作成する。例えば、表示制御部２６はＲＯＭテーブルを参照して顔画像データＤfaを表示データＤ２に変換するようになされる。表示制御部２６は画像表示部２２に表示データＤ２を出力して表示制御を実行する。
【００７８】
画像表示部２２はカメラモニタを構成し、表示データＤ２に基づいて被撮影者５の上半身を含む顔画像を表示するようになされる。例えば、画像表示部２２は画像処理部１３によって切出された被撮影者５の特徴部分である目、耳、鼻又は／及び口に係る顔部位構成画像を表示する。この画像表示部２２に表示された被撮影者５の特徴部分である目、耳、鼻又は／及び口に係る顔部位構成画像は、上述した操作部２４を操作して選択可能となされている。上述した顔画像サーバー３２に登録するための顔画像は、被撮影者５に確認してもらうようになされる。目つぶり等のない顔画像を登録するためである。
【００７９】
周辺機器インターフェース２７は、図示しない外付けモニタ、非接触式又は接触式のカードに係るカードリーダーや、カードリード／ライター、キーボード、指紋リーダー、パスワードプリンタ等が接続可能となされている。外付けＰＣインターフェース２８は図１に示したパソコン８０に接続可能となされ、当該パソコン８０からのデータＤinを入力したり、顔画像登録管理業者の顔画像サーバー３２へ画像ＩＤ番号＋顔画像データＤfaをアップロードする場合に使用される。
【実施例１】
【００８０】
本発明に係る第１の撮影画像登録方法について、撮影受付カードの作成例と、顔画像の撮影例及びカメラの動作例と、被撮影者における個人情報の入力例とに分けて説明をする。
【００８１】
［撮影受付カードの作成例］
図４は団体撮影用の撮影受付カード１０の構成例を示す図である。図４に示す撮影受付カード１０は当該撮影画像登録システム１００で適用されるものであり、各種学校等において、団体撮影を目的とした撮影整理票である。撮影受付カード１０の大きさは高さがＨ１ｍｍで、幅がＷ１ｍｍである。撮影受付カード１０には、所定の厚みを有したＡ５、Ｂ５、Ａ６又はＢ６版等、又は、これらの１／２、１／４・・の大きさの用紙が使用される。用紙は色付きでも白色でもよい。
【００８２】
撮影受付カード１０には、「団体撮影用の撮影受付カード」のタイトルと共に、「××学園様」等の学校名、「お客様控え」のタイトル、「発番担当者」の記述欄ｗ１、「撮影担当者」の記述欄ｗ２、被撮影者５の「氏名」の記述欄ｗ３、その「学籍番号」の記述欄ｗ４が各々印字される。この被撮影者５の学籍番号の記述欄ｗ４の下方には、画像ＩＤ番号の記述欄ｗ５が設けられる。記述欄ｗ５には例えば、画像ＩＤ番号として「０１２０  ２５３８  ２５５４  ２５６７」が印字される。画像ＩＤ番号は顔画像登録管理業者側でバーコードＢＣにして撮影受付カード１０に印字される。
【００８３】
この画像ＩＤ番号の記述欄ｗ５の下方には、パスワードＰＷの印字欄ｗ６が設けられる。パスワードＰＷの内容は隠蔽処理されている。例えば、パスワードＰＷの内容はスクラッチ塗料で被覆され隠蔽される（図中黒塗り部分）。パスワードＰＷの内容は、当該スクラッチ塗料を擦って落とし、隠蔽処理を無効にすることで目視可能となる。もちろん、隠蔽処理はスクラッチカード方式に限られることはなく、擦りだし方式、又は、あぶり出し方式を採用してもよい。
【００８４】
このパスワードＰＷの印字欄ｗ６の下方には受付ホームページの印字欄ｗ７が設けられる。印字欄ｗ７には例えば、受付ホームページとして「ｈｔｔｐ：//ｗｗｗ．＊＊＊．＊＊．＊＊」等のＥメール・アドレスが印字される。これら印字欄ｗ５、ｗ６等の例えば、右側には印字欄ｗ８が設けられ、当該印字欄ｗ８にはバーコードＢＣが印字される。なお、画像ＩＤ番号やパスワードＰＷ等は、図１に示した情報管理装置３１により発番処理される。このような撮影受付カード１０は、例えば、顔画像登録管理業者のプリンタ３３によって作成される。これにより、パスワードＰＷの内容を伏せた状態で撮影受付カード１０を被撮影者５の各々に配布することができる。
【００８５】
図５は、撮影受付カード１０の作成例を示すフローチャートである。この例では、画像ＩＤ番号とパスワードＰＷとを併設して撮影受付カード１０を作成し、その後、当該撮影受付カード１０を被撮影者５の各々に配布する場合であって、スクラッチカード方式の撮影受付カード１０を学校単位に作成する場合を前提とする。画像ＩＤ番号やパスワードＰＷ等は学校単位に発番処理する。
【００８６】
これを作成条件にして、図５に示すフローチャートのステップＡ１で画像ＩＤ番号やパスワードＰＷ等の発番処理をする。例えば、情報管理装置３１は顔画像登録管理業者の指示に従って予め割り当てられた画像ＩＤ番号やパスワードＰＷ等を学校単位に発番処理する。
【００８７】
その後、情報管理装置３１はステップＡ２でプリンタ３３へ学校単位に画像ＩＤ番号やパスワードＰＷ等を出力する。これを入力して、ステップＡ３でプリンタ３３は画像ＩＤ番号やパスワードＰＷ等に基づいて、学校単位に図４に示したような撮影受付カード１０を印刷する。
【００８８】
プリンタ３３ではステップＡ４で先に入力した分の画像ＩＤ番号に関して全ての撮影受付カード１０を印刷したかがチェックされる。当該撮影受付カード１０を全て印刷したか否かは、画像ＩＤ番号の最終番号を検出することで判断される。全ての撮影受付カード１０を印刷していない場合は、ステップＡ３に戻って印刷処理を繰り返す。
【００８９】
全ての撮影受付カード１０を印刷した場合は、ステップＡ５に移行して撮影受付カード１０のパスワード内容をスクラッチ処理する。スクラッチ処理は周知の方法により実行される。例えば、パスワードＰＷの記述内容以外をマスクして、当該記述領域上にスクラッチ塗料を形成（塗布）する。
【００９０】
そして、印刷された分の撮影受付カード１０に関してステップＡ６で全てスクラッチ処理したかをチェックする。この際のチェックはオペレータである。全ての撮影受付カード１０のスクラッチ処理を完了していない場合は、ステップＡ５４に戻ってスクラッチ処理を繰り返す。このスクラッチ処理によって図４に示したような撮影受付カード１０が作成完了する。
【００９１】
全てのスクラッチ処理を完了した場合は、ステップＡ７に移行して撮影受付カード１０を学校単位に配布する。各学校側で、撮影受付カード１０を個々の学生（被撮影者５）へ配布するようになされる。当該撮影受付カード１０の配布を受けた被撮影者は、そのスクラッチ部分を擦らずに（削らずに）、例えば、撮影会場へ持参する。
【００９２】
［顔画像の撮影例及びカメラの動作例］
図６Ａは撮影者による操作例、図６Ｂはカメラ２１の動作例を各々示すフローチャートである。
この実施例では、撮影後の各々の被撮影者５の顔画像データＤfaを利用するための画像ＩＤ番号に基づいて被撮影者５の顔画像を登録する場合を前提とする。この顔画像撮影システム２０が学校出張における団体撮影システムであって、撮影会場にはデジタルのカメラ２１が備えられ、被撮影者５はカメラ２１の前にセットされた椅子に着席し、撮影者の指示に従って、顔写真を撮影するようになされる。
【００９３】
撮影時、被撮影者５の撮影受付カード１０から画像ＩＤ番号を読み取ると共に、当該被撮影者５を撮影して所定の顔画像データＤfaを取得し、ここで取得された被撮影者５の顔画像データＤfaと、バーコードリーダー１４から読み取られた当該被撮影者５の画像ＩＤ番号とを関連づけて各々保存する。なお、撮影受付カード１０は予め被撮影者５に配布され、被撮影者５は撮影者に撮影受付カード１０を提示する。この撮影受付カード１０には、撮影前に画像ＩＤ番号をバーコードＢＣにして印刷されている。
【００９４】
これらを撮影条件にして、撮影者は被撮影者５から撮影受付カード１０を受け取り、図６Ａに示すフローチャートのステップＢ１で撮影者はバーコードリーダー１４を操作して、被撮影者５の撮影受付カード１０からバーコードＢＣを読み取るようになされる。この操作によって、バーコードリーダー１４からカメラ２１のシステムコントローラー２５にはコード読取信号Ｓｂが出力される。
【００９５】
システムコントローラー２５は、図６Ｂに示すフローチャートのステップＣ１でバーコードリーダー１４から出力されるコード読取信号Ｓｂを復号化して画像ＩＤ番号を検出（取得）する。システムコントローラー２５は、ステップＣ２で画像ＩＤ番号をトリガにして被撮影者５の撮影を開始する。このとき、図３に示したカメラ２１のレンズ１１は被撮影者５の顔映像を撮像素子１２上に結像する。撮像素子１２はレンズ１１によって結像された被撮影者５の顔映像を撮像し、アナログの顔撮像信号Ｓinを画像処理部１３に出力する。撮影処理は団体撮影人数分だけ繰り返すようになされる。
【００９６】
そして、画像処理部１３は、ステップＣ３で顔撮像信号Ｓinをアナログ・デジタル変換して顔画像データＤfaを得る。このとき、システムコントローラー２５は撮像素子１２によって撮像された被撮影者５の顔画像データＤfaと、バーコードリーダー１４で読み取った画像ＩＤ番号を結合処理するように画像処理部１３等を制御する。画像処理部１３はこの制御を受けてステップＣ４で被撮影者５の顔画像データＤfaと、システムコントローラー２５からの画像ＩＤ番号とを関連付けて結合処理するようになされる。この結合処理後の顔画像データＤfa＋画像ＩＤ番号はステップＣ５でバッファメモリ１５に一時記憶される。
【００９７】
また、表示制御部２６はステップＣ６でバッファメモリ１５から読み出された顔画像データＤfaに基づいて被撮影者５の顔をカラー表示するための表示データＤ２を作成する。表示制御部２６は画像表示部２２に表示データＤ２を出力して表示制御を実行する。その後、撮影者は図６Ａに示すフローチャートのステップＢ２で被撮影者５の顔画像を確認すべく、カメラ２１の画像表示部２２を目視する（覗く）。このとき、画像表示部２２には図６ＢのステップＣ７で表示データＤ２に基づいて被撮影者５の上半身を含む顔画像が表示される。上述した顔画像サーバー３２に登録するための顔画像は、被撮影者５にも確認してもらう。この例では、図示しない外付けモニタには特徴画像（顔画像の特徴部分に係る映像）が表示される。目つぶり等のない顔画像を顔画像サーバー３２に登録するためである。
【００９８】
また、撮影者は図６ＡのステップＢ３で被撮影者５の顔画像が顔画像サーバー３２に登録最適（良好）か否かを判断する。このとき、撮影者は被撮影者５の確認を得て、顔画像が「良好」であると判断した場合は、ステップＢ４に移行して操作部２４を通じてシステムコントローラー２５に「ＯＫ」の指示を通知する。その後、ステップＢ１に戻って上述した処理を繰り返すようになされる。
【００９９】
この「ＯＫ」の指示を受けたシステムコントローラー２５では、図６Ｂに示すステップＣ８で当該被撮影者５の画像ＩＤ番号と顔画像データＤfaとを関連付けて内蔵メモリ２３に保存する。このとき、システムコントローラー２５は、顔画像データＤfa＋画像ＩＤ番号に、「良好」フラグＦＧを付加するようになされる。この被撮影者５の画像ＩＤ番号＋顔画像データＤfaは、顔画像サーバー３２にアップロード（登録）するまで内蔵メモリ２３で保持される。その後、ステップＣ１に戻って上述した処理を繰り返すようになされる。内蔵メモリ２３に保持された被撮影者５の画像ＩＤ番号＋顔画像データＤfaは、顔画像サーバー３２へ適宜アップロード（登録）される。そのアップロードについては、図１９で説明をする。
【０１００】
なお、撮影者が顔画像に関して図６ＡのステップＢ３で顔画像サーバー３２に登録不適（不良）であると判断した場合は、ステップＢ５に移行して被撮影者５の再撮影するように操作部２４を操作するようになされる。その後、ステップＢ２に戻って上述した処理を繰り返すようになされる。このような構成を採ると、撮影処理を確実かつ良好に実行できることに加えて、被撮影者５の確認処理を経て顔画像データＤfa＋画像ＩＤ番号を間違いなく内蔵メモリ２３に保存することができるので、写真店側が、再度、学校等に出向いて生徒を集める等の無駄な処理を無くすことができる。
【０１０１】
続いて、顔画像撮影を終了した被撮影者５における処理例について説明をする。
当該撮影受付カード１０を返却された被撮影者５は、そのスクラッチ部分を擦ってパスワードＰＷの内容を確認する。パスワードＰＷはネットワーク試験業者等のサーバー１へ個人情報Ｄ１を送信する際に使用される。
【０１０２】
［被撮影者における個人情報の入力例］
図７は被撮影者５における個人情報入力時の構成例を示す図である。この例では、被撮影者側には通信機能付きパソコン４０が準備される。この例で顔画像データＤfaを顔画像登録管理業者に登録した後、パソコン４０は、個人情報入力画面Ｐ２で、例えば、パスワードＰＷを入力し、ネットワーク試験業者のサーバー１へ個人情報Ｄ１を送信するように操作される。
【０１０３】
図７に示すパソコン４０は通信手段２を通じて図示しないネットワーク試験業者等のサーバー１等に接続可能となされる。通信手段２にはインターネットや公衆電話回線が使用される。受験者（被撮影者）５’は、例えば、自分のパソコン４０で、ネットワーク試験業者等のサーバー１をアクセスし、マウス４１やキーボード４２を使用して画像ＩＤ番号及びパスワードＰＷを入力する。
【０１０４】
パソコン４０にはモニタ４３が設けられる。上述の画像ＩＤ番号及びパスワードＰＷを入力することによってモニタ４３には、個人情報入力画面Ｐ１が表示される。この個人情報入力画面Ｐ１には、「０１２０  ２５３８  ２５５４  ２５６７」の画像ＩＤ番号や、「＊＊＊＊＊」等のパスワードＰＷが表示される。このパスワード表示領域の下方には、例えば、３０万画素以下の解像度で被撮影者５の顔全体縮小画像Ｇ０及び特徴画像Ｇ７が表示される。特徴画像Ｇ７は被撮影者５の左右の目を中心としたその周辺部位を含む拡大映像である。これは被撮影者５の顔画像を部分拡大した画素で本人確認（判別）を容易するためである。
【０１０５】
この個人情報入力画面Ｐ１には被撮影者５の顔全体縮小画像Ｇ０及び特徴画像Ｇ７の他に、アップ用のキーＫ４、ダウン用のキーＫ５が表示される。このアップ及びダウン用のキーＫ４、Ｋ５の表示領域の下方には、個人情報Ｄ１の入力するための３つの記述領域ｗ１１〜ｗ１３が表示される。記述領域ｗ１１は受験者５’等の名前を入力する表示領域である。受験者５’等の名前は、キーボード４２を使用して入力するようになされる。
【０１０６】
また、記述領域ｗ１２は受験者５’等の住所を入力する表示領域である。受験者５’等の住所は、キーボード４２を使用して入力するようになされる。記述領域ｗ１３は受験者５’等の生年月日を入力する表示領域である。受験者５’等の生年月日は、キーボード４２を使用して入力するようになされる。
【０１０７】
この記述領域ｗ１３の下方には、送信キーＫ６、キャンセルキーＫ７が表示される。アップ及びダウン用のキーＫ４、Ｋ５、送信キーＫ６及びキャンセルキーＫ７は、マウス４１又はキーボード４２でクリックするように操作される。アップ用のキーＫ４は、モニタ４３の画面上で被撮影者５の特徴画像Ｇ７を上方向に画面切換え表示する際にマウス操作される。ダウン用のキーＫ５は、同様にして、被撮影者５の特徴画像Ｇ７を下方向に画面切換え表示する際にマウス操作される。なお、特徴画像Ｇ７の拡大縮小用の機能及び操作ボタンを別に設置してもよい。
【０１０８】
送信キーＫ６は個人情報Ｄ１をネットワーク試験業者等のサーバー１へ送信する際に例えば、マウス４１によってクリックされる。なお、個人情報Ｄ１を送信完了した際には、元データを削除することが望ましい。これは個人情報Ｄ１の流出を防止するためである。キャンセルキーＫ７は個人情報Ｄ１の送信をキャンセルする際に、マウス４１によってクリックされる。例えば、顔画像が先に登録したものと異なる（自分ではない）場合には、個人情報Ｄ１を入力せずに、キャンセルキーＫ７を押下する。なお、個人情報Ｄ１の転送完了には、パソコン４０のモニタ４３に図示しない入力情報確認画面を表示するようになされる。
【０１０９】
図８は被撮影者５における個人情報の入力例を示すフローチャートである。この例では、被撮影者（受験者５’）側には通信機能付きパソコン４０が準備され、顔画像データＤfaを顔画像登録管理業者に登録した後、個人情報入力画面Ｐ１で、ネットワーク試験業者等の会員制業者のサーバー１へ個人情報Ｄ１を送信する場合を例に挙げる。また、個人情報Ｄ１の転送完了には、パソコン４０のモニタ４３に入力情報確認画面を表示するようになされる。
【０１１０】
これらを個人情報Ｄ１の入力条件にして、図８に示すフローチャートのステップＥ１で受験者（被撮影者）５’は、例えば、自分のパソコン４０からネットワーク試験業者等の会員制業者のＷｅｂサイトへアクセスする。このとき、ネットワーク試験業者のサーバー１には、インターネットや公衆電話回線等の通信手段２を通じて接続される。
【０１１１】
そして、ネットワーク試験業者等のサーバー１を接続した後、ステップＥ２でマウス４１やキーボード４２を使用して画像ＩＤ番号及びパスワードＰＷを入力する。このとき、パソコン４０のモニタ画面には、「０１２０  ２５３８  ２５５４  ２５６７」の画像ＩＤ番号や、「＊＊＊＊＊」等のパスワードＰＷが表示される。
【０１１２】
このパスワード表示領域の下方には、ステップＥ３で例えば、３０万画素以下の解像度で被撮影者５の顔全体縮小画像Ｇ０を表示するようになされる。そして、ステップＥ４で被撮影者５の特徴画像Ｇ７を表示するようになされる。この特徴画像Ｇ７は被撮影者５の左右の目を中心としたその周辺部位を含む拡大映像である。これは被撮影者５の顔画像を部分拡大した画素で本人確認（判別）を容易するためである。
【０１１３】
この個人情報入力画面Ｐ１には被撮影者５の顔全体縮小画像Ｇ０及び特徴画像Ｇ７の他に、拡大用のキーＫ４、縮小用のキーＫ５が表示される。この拡大及び縮小用のキーＫ４、Ｋ５の表示領域の下方には、個人情報Ｄ１の入力するための３つの記述領域ｗ１〜Ｗ３が表示される。
【０１１４】
被撮影者５は、モニタ４３に表示された顔画像の内容を確認し、予め顔画像サーバー３２へアップロードされた顔画像データＤfaを採用するか否かをステップＥ５で判断する。アップロードが良好で当該顔画像は本人であると確認し、この顔画像データＤfaを採用する場合は、ステップＥ６に移行して受験者５’は個人情報Ｄ１を入力する。このとき、キーボード４２を使用して、記述領域ｗ１１には名前が入力され、記述領域ｗ１２には住所が入力され、記述領域ｗ１３には生年月日が入力される。
【０１１５】
その後、ステップＥ７に移行して送信キーＫ６をマウス４１によってクリックする。このマウスクリックによって、パソコン４０からネットワーク試験業者等のサーバー１へ受験者５’の個人情報Ｄ１を転送するようになされる。個人情報Ｄ１が転送完了すると、ステップＥ８に移行してパソコン４０のモニタ４３には図示しない入力情報確認画面を表示し、ステップＥ９で個人情報Ｄ１の入力を確認するようになされる。
【０１１６】
このとき、個人情報Ｄ１の入力確認「ＯＫ」の場合は、ステップＥ１０に移行して元データを削除して入力処理を終了する。元データの削除は個人情報Ｄ１の流出を防止するためである。ステップＥ９で個人情報Ｄ１の入力確認「ＮＧ」の場合は、ステップＥ３の個人情報入力画面Ｐ１に戻って上述した処理を繰り返すようになされる。
【０１１７】
また、上述のステップＥ５で当該顔画像が本人のものではないことを確認し、この顔画像データＤfaを不採用とする場合は、ステップＥ１１に移行してキャンセルキーＫ７を押下する。このキャンセルキーＫ７を押下することによって個人情報Ｄ１の入力するための３つの記述領域ｗ１１〜ｗ１３の表示は削除される。また、既に入力してしまった個人情報Ｄ１については、その送信がキャンセルされる。
【０１１８】
このように構成すると、本人が自宅のパソコン４０上で自分の顔画像をモニタ画面で確認し易くなる。顔画像（写真）が気に入らない場合は、再度、顔画像撮影システム２０で顔画像を撮り直せばよい。また、他のＷｅｂサイトに顔画像が登録されていれば、それを選択して利用することもできる。
【０１１９】
なお、ネット試験受験センター等は、会員制業者のサーバー１から顔画像登録管理業者の顔画像サーバー３２へ個人情報Ｄ１を転送し、受験カード９の作成を発注するようになされる。顔画像登録管理業者では、画像ＩＤ番号に基づいて顔画像サーバー３２から当該受験者５’の顔画像データＤfaを読み出す。顔画像データＤfaは、当該受験者５’の個人情報Ｄ１と結合され、カード作成システム６へデータ転送される。
【０１２０】
カード作成システム６では当該受験者５’の顔画像データＤfaに基づいて顔画像を受験カード９に形成すると共に、個人情報Ｄ１に基づいて受験カード９に氏名、住所、生年月日を印刷（形成）する。その後、受験カード９が受験者５’に発送される。これにより、受験者５’はネット試験受験システムにおける受験会場に受験カード９を持参し、ネット試験を受験できるようになる。
【０１２１】
このようにして、本発明に係る第１の実施例としての撮影画像登録システム及び撮影画像登録方法によれば、撮影後の各々の被撮影者５の顔画像データＤfaを利用するための画像ＩＤ番号に基づいて当該被撮影者５の顔画像を登録する場合に、顔画像データＤfaを特定するための画像ＩＤ番号と、予め隠蔽処理が施され当該隠蔽処理を無効にすることで目視可能となるパスワードＰＷとを併設した撮影受付カード１０が予めプリンタ３３によって作成される。
【０１２２】
これを前提にして、バーコードリーダー１４は、撮影時に、被撮影者５の各々に配布された撮影受付カード１０から画像ＩＤ番号を読み取るようになされる。カメラ２１では、撮像素子１２が被撮影者５を撮影して所定の顔画像データＤfaを取得するようになされる。システムコントローラー２５は、被撮影者５の顔画像データＤfaと当該被撮影者５の画像ＩＤ番号とを関連づけて保存するように内蔵メモリ２３を制御する。内蔵メモリ２３には、撮像素子１２により取得された被撮影者５の顔画像データＤfaと、バーコードリーダー１４により撮影受付カード１０から読み取られた当該被撮影者５の画像ＩＤ番号とが関連づけて記憶される。
【０１２３】
従って、予め各々の被撮影者５に配布された画像ＩＤ番号及びパスワードＰＷと、当該被撮影者５の顔画像データＤfaとを容易に結合することができ、従来方式に比べて登録処理を複雑化することなく複数の被撮影者５の顔画像データＤfaを登録することができる。しかも、撮影終了後に隠蔽処理を無効とするように取り決められ、撮影終了後にパスワードＰＷが目視可能となるので、少なくとも、撮影時に、被撮影者５のパスワードＰＷの漏洩を防止できるようになる。従って、撮影時における被撮影者５のパスワードＰＷの秘匿性を確保することができる。
【実施例２】
【０１２４】
本発明に係る第２の撮影画像登録システム及び撮影画像登録方法について、撮影受付カードの作成例と、顔画像の撮影例及びカメラの動作例とに分けて説明をする。
【０１２５】
［撮影受付カードの作成例］
図９は本発明に係る第２の実施例としての撮影画像登録システム１００で適用する団体撮影用の二連式の撮影受付カード５０の構成例を示す図である。
【０１２６】
この実施例では、撮影後の各々の被撮影者５の顔画像データＤfaを利用するための画像ＩＤ番号に基づいて当該被撮影者５の顔画像を登録する場合に、顔画像データＤfaを特定するための画像ＩＤ番号と目視可能なパスワードＰＷとを併設して作成された二連式の撮影受付カード５０に基づいて内蔵メモリ２３を制御するシステムコントローラー２５を備える。
【０１２７】
図３に示したカメラ２１で撮像素子１２により取得された被撮影者５の顔画像データＤfaと、予め切り離された撮影受付カード５０から、バーコードリーダー１４を使用して読み取られた当該被撮影者５の画像ＩＤ番号とを関連づけて保存する。
【０１２８】
そして、予め各々の被撮影者５に配布したパスワードＰＷと、当該被撮影者５の顔画像データＤfaとを容易に結合できるようにすると共に、従来方式に比べて登録処理を複雑化することなく複数の被撮影者５の顔画像データＤfaを登録できるようにする。しかも、撮影時における被撮影者５のパスワードＰＷの秘匿性を確保できるようにしたものである。
【０１２９】
図９に示す撮影受付カード５０は当該撮影画像登録システム１００で適用されるものであり、各種学校等において、団体撮影を目的とした撮影整理票である。撮影受付カード５０の大きさは高さがＨ２ｍｍで、幅がＷ２ｍｍである。撮影受付カード５０には、所定の厚みを有したＡ４、Ｂ５、Ａ５又はＢ６版等、又は、これらの１／２、１／４・・の大きさの用紙が使用される。用紙は色付きでも白色でもよい。
【０１３０】
撮影受付カード５０は撮影者控え票５０Ａ及び、お客様控え票５０Ｂから成る二連式撮影票を有している。撮影者控え票５０Ａとお客様控え票５０Ｂとの境界部分５０Ｃには切り取り線が印字され、例えば、この境界部分５０Ｃはミシン目加工が施されている。これは撮影者控え票５０Ａとお客様控え票５０Ｂとを２つに切り離し易くするためである。切り取り線は、例えば、当該撮影受付カード５０を上下に重ねて２つ折りした場合に折り目が生ずる位置に設けられる。
【０１３１】
撮影者控え票５０Ａには、「団体撮影用の撮影受付カード」のタイトルと共に、「××学園様」等の学校名、「発番担当者」の記述欄ｗ１、「撮影担当者」の記述欄ｗ２、被撮影者５の「氏名」の記述欄ｗ３、その「学籍番号」の記述欄ｗ４が各々印字される。この被撮影者５の学籍番号の記述欄ｗ４の下方には、画像ＩＤ番号の記述欄ｗ５が設けられる。記述欄ｗ５には例えば、画像ＩＤ番号として「０１２０  ２５３８  ２５５４  ２５６７」が印字される。画像ＩＤ番号は顔画像登録管理業者側でバーコードＢＣにして撮影者控え票５０Ａに印字される。
【０１３２】
この画像ＩＤ番号の記述欄ｗ５の下方には、アップロード専用ホームページの印字欄ｗ７’が設けられる。印字欄ｗ７’には例えば、アップロード専用ホームページとして「ｈｔｔｐ：//ｗｗｗ．ｂｂｂ．ｃｃｃ」等のＥメール・アドレスが印字される。これら印字欄ｗ５、ｗ７’等の例えば、右側には印字欄ｗ８が設けられ、当該印字欄ｗ８にはバーコードＢＣが印字される。
【０１３３】
また、お客様控え票５０Ｂには、「団体撮影用の撮影受付カード」のタイトルと共に、「××学園様」等の学校名、「発番担当者」の記述欄ｗ１、「撮影担当者」の記述欄ｗ２、被撮影者５の「氏名」の記述欄ｗ３、その「学籍番号」の記述欄ｗ４が各々印字される。この被撮影者５の学籍番号の記述欄ｗ４の下方には、画像ＩＤ番号の記述欄ｗ５が設けられる。記述欄ｗ５には例えば、画像ＩＤ番号として「０１２０  ２５３８  ２５５４  ２５６７」が印字される。画像ＩＤ番号は顔画像登録管理業者側でバーコードＢＣにしてお客様控え票５０Ｂに印字される。
【０１３４】
この画像ＩＤ番号の記述欄ｗ５の下方には、パスワードＰＷの印字欄ｗ６が設けられる。印字欄ｗ６には、顔画像登録管理業者側で割り当てたパスワードＰＷの内容が印字される。例えば、パスワードＰＷとして「２５６５」が印字される。このパスワードＰＷの印字欄ｗ６の下方には受付ホームページの印字欄ｗ７が設けられる。印字欄ｗ７には例えば、受付ホームページとして「ｈｔｔｐ：//ｗｗｗ．ｄｄｄ．ｅｅｅ」等のＥメール・アドレスが印字される。これら印字欄ｗ５、ｗ６等の例えば、右側には印字欄ｗ８が設けられ、当該印字欄ｗ８にはバーコードＢＣが印字される。
【０１３５】
なお、画像ＩＤ番号やパスワードＰＷ等は、図１に示した情報管理装置３１により発番処理される。このような撮影受付カード５０は、例えば、顔画像登録管理業者のプリンタ３３によって作成される。これにより、お客様控え票５０ＢのみにパスワードＰＷの内容を印字した二連式の撮影受付カード５０を被撮影者５の各々に配布することができる。
【０１３６】
図１０は、二連式の撮影受付カード５０の作成例を示すフローチャートである。この例では、顔画像データＤfaを特定するための画像ＩＤ番号と目視可能なパスワードＰＷとを併設して二連式の撮影受付カード５０を作成し、その後、当該撮影受付カード５０を被撮影者５の各々に配布する場合であって、二連式の撮影受付カード５０を学校単位に作成する場合を前提とする。画像ＩＤ番号やパスワードＰＷ等は学校単位に発番処理する。
【０１３７】
これを作成条件にして、図１０に示すフローチャートのステップＦ１で画像ＩＤ番号やパスワードＰＷ等の発番処理をする。例えば、情報管理装置３１は顔画像登録管理業者の指示に従って予め割り当てられた画像ＩＤ番号やパスワードＰＷ等を学校単位に発番処理する。
【０１３８】
その後、情報管理装置３１はステップＦ２でプリンタ３３へ学校単位に画像ＩＤ番号やパスワードＰＷ等を出力する。これを入力して、ステップＦ３でプリンタ３３は画像ＩＤ番号やパスワードＰＷ等に基づいて、学校単位に図９に示したような撮影者控え票５０Ａ、お客様控え票５０Ｂ及び、境界部分５０Ｃを有する二連式の撮影受付カード５０を作成する。境界部分５０Ｃのミシン目は、画像形成処理後に、ミシン目加工機等の後処理装置を使用して加工するようになされる。
【０１３９】
プリンタ３３ではステップＦ４で先に入力した分の画像ＩＤ番号に関して全ての撮影受付カード５０を印刷したかがチェックされる。当該撮影受付カード５０を全て印刷したか否かは、画像ＩＤ番号の最終番号を検出することで判断される。全ての撮影受付カード５０を印刷していない場合は、ステップＦ３に戻って印刷処理を繰り返す。この印刷処理によって図９に示したような二連式の撮影受付カード５０が作成完了する。
【０１４０】
全ての撮影受付カード５０の印刷を完了した場合は、ステップＦ５に移行して撮影受付カード５０を学校単位に配布する。各学校側で、二連式の撮影受付カード５０を個々の学生（被撮影者５）へ配布するようになされる。当該撮影受付カード５０の配布を受けた被撮影者５は、撮影者控え票５０Ａとお客様控え票５０Ｂとの境界部分５０Ｃを切り離さずに、二連式の撮影受付カード５０のまま例えば、撮影会場へ持参する。
【０１４１】
［顔画像の撮影例及びカメラの動作例］
図１１Ａは撮影者による顔画像の撮影例、図１１Ｂは顔画像撮影時のカメラ２１の動作例を各々示すフローチャートである。第２の実施例では、第１の実施例と同様にして、撮影会場にはデジタルのカメラ２１が備えられ、被撮影者５はカメラ２１の前にセットされた椅子に着席し、撮影者の指示に従って、顔写真を撮影するようになされる。
【０１４２】
この例では、撮影時、被撮影者５の二連式の撮影受付カード５０から画像ＩＤ番号を設けた撮影者控え票５０Ａを切り離し、ここで切り離された撮影者控え票５０Ａから画像ＩＤ番号を読み取ると共に、当該被撮影者５を撮影して所定の顔画像データＤfaを取得し、ここで取得された被撮影者５の顔画像データＤfaと、バーコードリーダー１４で読み取られた当該被撮影者５の画像ＩＤ番号とを関連づけて各々保存するようになされる。なお、二連式の撮影受付カード５０は予め被撮影者５に配布され、被撮影者５は撮影者に撮影者控え票５０Ａのみを提示する。この撮影者控え票５０Ａには、撮影前に画像ＩＤ番号をバーコードＢＣにして予め印刷される。
【０１４３】
これらを撮影条件にして、例えば、撮影会場で、被撮影者５は二連式の撮影受付カード５０の境界部分５０Ｃを切り離し、撮影者控え票５０Ａを撮影者に提出する。お客様控え票５０Ｂは、被撮影者５が保管する。撮影者は被撮影者５から撮影者控え票５０Ａを受け取り、図１１Ａに示すフローチャートのステップＧ１で撮影者はバーコードリーダー１４を操作して、被撮影者５の撮影者控え票５０ＡからバーコードＢＣを読み取るようになされる。この操作によって、バーコードリーダー１４からカメラ２１のシステムコントローラー２５にはコード読取信号Ｓｂが出力される。
【０１４４】
システムコントローラー２５は、図１１Ｂに示すフローチャートのステップＨ１でバーコードリーダー１４から出力されるコード読取信号Ｓｂを復号化して画像ＩＤ番号を検出（取得）する。システムコントローラー２５は、ステップＨ２で画像ＩＤ番号をトリガにして被撮影者５の撮影を開始する。このとき、図３に示したカメラ２１のレンズ１１は被撮影者５の顔映像を撮像素子１２上に結像する。撮像素子１２はレンズ１１によって結像された被撮影者５の顔映像を撮像し、アナログの顔撮像信号Ｓinを画像処理部１３に出力する。撮影処理は団体撮影人数分だけ繰り返すようになされる。
【０１４５】
そして、画像処理部１３は、ステップＨ３で顔撮像信号Ｓinをアナログ・デジタル変換して顔画像データＤfaを得る。このとき、システムコントローラー２５は、撮像素子１２により取得された被撮影者５の顔画像データＤfaと、予め切り離された撮影者控え票５０Ａから読み取られた当該被撮影者５の画像ＩＤ番号を結合処理するように画像処理部１３等を制御する。画像処理部１３はこの制御を受けてステップＨ４で被撮影者５の顔画像データＤfaと、システムコントローラー２５からの画像ＩＤ番号とを関連付けて結合処理するようになされる。この結合処理後の顔画像データＤfa＋画像ＩＤ番号はステップＨ５でバッファメモリ１５に一時記憶される。
【０１４６】
また、表示制御部２６はステップＨ６でバッファメモリ１５から読み出された顔画像データＤfaに基づいて被撮影者５の顔をカラー表示するための表示データＤ２を作成する。表示制御部２６は画像表示部２２に表示データＤ２を出力して表示制御を実行する。その後、撮影者は図１１Ａに示すフローチャートのステップＧ２で被撮影者５の顔画像を確認すべく、カメラ２１の画像表示部２２を目視する（覗く）。このとき、画像表示部２２には図１１ＢのステップＨ７で表示データＤ２に基づいて被撮影者５の上半身を含む顔画像が表示される。上述した顔画像サーバー３２に登録するための顔画像は、被撮影者５にも確認してもらう。この例では、図示しない外付けモニタには特徴画像（顔画像の特徴部分に係る映像）が表示される。目つぶり等のない顔画像を顔画像サーバー３２に登録するためである。
【０１４７】
また、撮影者は図１１ＡのステップＧ３で被撮影者５の顔画像が顔画像サーバー３２に登録最適（良好）か否かを判断する。このとき、撮影者は被撮影者５の確認を得て、顔画像が「良好」であると判断した場合は、ステップＧ４に移行して操作部２４を通じてシステムコントローラー２５に「ＯＫ」の指示を通知する。その後、ステップＧ１に戻って上述した処理を繰り返すようになされる。
【０１４８】
この「ＯＫ」の指示を受けたシステムコントローラー２５では、図１１Ｂに示すステップＨ８で当該被撮影者５の画像ＩＤ番号と顔画像データＤfaとを関連付けて内蔵メモリ２３に保存する。このとき、システムコントローラー２５は、顔画像データＤfa＋画像ＩＤ番号に、「良好」フラグＦＧを付加するようになされる。この被撮影者５の画像ＩＤ番号＋顔画像データＤfaは、顔画像サーバー３２にアップロード（登録）するまで内蔵メモリ２３で保持される。その後、ステップＨ１に戻って上述した処理を繰り返すようになされる。内蔵メモリ２３に保持された被撮影者５の画像ＩＤ番号＋顔画像データＤfaは、顔画像サーバー３２へ適宜アップロード（登録）される。その説明は省略する。
【０１４９】
なお、撮影者が顔画像に関して図１１ＡのステップＧ３で顔画像サーバー３２に登録不適（不良）であると判断した場合は、ステップＧ５に移行して被撮影者５の再撮影するように操作部２４を操作するようになされる。その後、ステップＧ２に戻って上述した処理を繰り返すようになされる。このような構成を採ると、撮影処理を確実かつ良好に実行できることに加えて、被撮影者５の確認処理を経て顔画像データＤfa＋画像ＩＤ番号を間違いなく内蔵メモリ２３に保存することができるので、写真店側が、再度、学校等に出向いて生徒を集める等の無駄な処理を無くすことができる。
【０１５０】
また、顔画像撮影を終了した被撮影者５における情報処理例については、図７及び図８に示した通りである。その説明を補足するならば、当該お客様控え票５０Ｂを所持する被撮影者５は、そのお客様控え票５０Ｂに印字されたパスワードＰＷに基づいて、例えば、ネットワーク試験業者等のサーバー１へ個人情報Ｄ１を送信するようになされる（図７及び図８参照）。
【０１５１】
このように、本発明に係る第２の実施例としての撮影画像登録システム及び、撮影画像登録方法によれば、撮影後の各々の被撮影者５の顔画像データＤfaを利用するための画像ＩＤ番号に基づいて当該被撮影者５の顔画像を登録する場合に、顔画像データＤfaを特定するための画像ＩＤ番号と目視可能なパスワードＰＷとを併設した二連式の撮影受付カード５０がプリンタ３３によって作成される。
【０１５２】
これを前提にして、バーコードリーダー１４は、プリンタ３３によって予め作成され、かつ、予め被撮影者５の各々に配布された二連式の撮影受付カード５０であって、顔画像データＤfaを特定するための画像ＩＤ番号が設けられた撮影者控え票５０Ａが予め切り離され、ここで切り離された撮影者控え票５０Ａから当該画像ＩＤ番号を読み取るようになされる。
【０１５３】
カメラ２１のシステムコントローラー２５では、被撮影者５の顔画像データＤfaと当該被撮影者５の画像ＩＤ番号とを関連づけて保存するように内蔵メモリ２３を制御する。内蔵メモリ２３には、撮像素子１２により取得された被撮影者５の顔画像データＤfaと、バーコードリーダー１４により撮影者控え票５０Ａから読み取られた当該被撮影者５の画像ＩＤ番号とが関連づけて記憶される。
【０１５４】
従って、予め各々の被撮影者５に配布し画像ＩＤ番号、ひいては、そのパスワードＰＷと、当該被撮影者５の顔画像データＤfaとを容易に結合することができ、従来方式に比べて登録処理を複雑化することなく複数の被撮影者５の顔画像データＤfaを登録することができる。しかも、撮影時、被撮影者５の二連式の撮影受付カード５０からバーコードリーダー１４によって読取可能な画像ＩＤ番号を設けた撮影者控え票５０Ａのみを切り離して提出するようになされ、目視可能なパスワードＰＷが設けられた方のお客様控え票５０Ｂが被撮影者５の手元に残って、他人には露呈されないので、少なくとも、撮影時に、被撮影者５のパスワードＰＷの漏洩を防止できるようになる。従って、撮影時における被撮影者５のパスワードＰＷの秘匿性を確保することができる。
【実施例３】
【０１５５】
本発明に係る第３の撮影画像登録システム及び撮影画像登録方法について、撮影受付カードの作成例と、事前パスワード変更例とに分けて説明をする。
【０１５６】
［撮影受付カードの作成例］
図１２は本発明に係る第３の実施例としての撮影画像登録システム１００で適用する団体撮影用の仮パスワード付きの撮影受付カード６０の構成例を示す図である。
【０１５７】
この実施例では、撮影後の各々の被撮影者５の顔画像データＤfaを利用するための画像ＩＤ番号に基づいて当該被撮影者５の顔画像を登録する場合に、顔画像データＤfaを特定するための画像ＩＤ番号と目視可能な仮パスワード（仮識別情報）ＰＷ’とを併設して作成された撮影受付カード６０に基づいて内蔵メモリ２３を制御するシステムコントローラー２５を備える。
【０１５８】
図３に示したカメラ２１で撮像素子１２により取得された被撮影者５の顔画像データＤfaと、予め配布された撮影受付カード６０から、バーコードリーダー１４を使用して読み取られた当該被撮影者５の画像ＩＤ番号とを関連づけて保存する。
【０１５９】
そして、予め各々の被撮影者５に配布した仮パスワード（旧又は仮識別情報）ＰＷ’から変更した新（本）パスワード（新たな識別情報）ＰＷと、当該被撮影者５の顔画像データＤfaとを容易に結合できるようにすると共に、従来方式に比べて登録処理を複雑化することなく複数の被撮影者５の顔画像データＤfaを登録できるようにする。しかも、撮影時における被撮影者５の新パスワードＰＷの秘匿性を確保できるようにしたものである。
【０１６０】
図１２に示す撮影受付カード６０は当該撮影画像登録システム１００で適用されるものであり、各種学校等において、団体撮影を目的とした撮影整理票である。撮影受付カード６０の大きさは高さがＨ３ｍｍで、幅がＷ４ｍｍである。撮影受付カード６０には、所定の厚みを有したＡ５、Ｂ５、Ａ６又はＢ６版等、又は、これらの１／２、１／４・・の大きさの用紙が使用される。用紙は色付きでも白色でもよい。
【０１６１】
撮影受付カード６０はお客様控え票６０Ａ及び、パスワードメモ票６０Ｂから構成されるものである。お客様控え票６０Ａとパスワードメモ票６０Ｂとの境界部分６０Ｃには切り取り線が印字され、例えば、この境界部分６０Ｃはミシン目加工が施されている。これはお客様控え票６０Ａとパスワードメモ票６０Ｂとを２つに切り離し易くするためである。切り取り線は、例えば、当該撮影受付カード６０を上下方向で１対４の割合、あるいは、１対５の割合で２つ折りした場合に折り目が生ずる位置に設けられる。
【０１６２】
お客様控え票６０Ａには、「団体撮影用の撮影受付カード」のタイトルと共に、「××学園様」等の学校名、「発番担当者」の記述欄ｗ１、「撮影担当者」の記述欄ｗ２、被撮影者５の「氏名」の記述欄ｗ３、その「学籍番号」の記述欄ｗ４が各々印字される。この被撮影者５の学籍番号の記述欄ｗ４の下方には、画像ＩＤ番号の記述欄ｗ５が設けられる。記述欄ｗ５には例えば、画像ＩＤ番号として「０１２０  ２５３８  ２５５４  ２５６７」が印字される。画像ＩＤ番号は顔画像登録管理業者側でバーコードＢＣにしてお客様控え票６０Ａに印字される。
【０１６３】
この画像ＩＤ番号の記述欄ｗ５の下方には、仮パスワードＰＷ’の印字欄ｗ６が設けられる。印字欄ｗ６には、顔画像登録管理業者側で割り当てた仮パスワードＰＷ’の内容が印字される。例えば、仮パスワードＰＷ’として「２５６５」が印字される。
【０１６４】
この例で図１に示した顔画像登録管理業者の情報管理装置３１は、予め画像ＩＤ番号と関連付けた仮パスワードＰＷ’をプリンタ３３に提供する。もちろん、これに限られることはなく、プリンタ３３から情報管理装置３１へ、予め画像ＩＤ番号と関連付けた仮パスワードＰＷ’を通知するようにしてもよい。
【０１６５】
この仮パスワードＰＷ’の印字欄ｗ６の下方には受付ホームページの印字欄ｗ７が設けられる。印字欄ｗ７には例えば、受付ホームページとして「ｈｔｔｐ：//ｗｗｗ．＊＊＊．＊＊．＊＊」等のＥメール・アドレスが印字される。
【０１６６】
この例でＥメール・アドレス印字領域の下方には、「撮影日（      ）までに一度アクセスし、パスワードを変更願います。パスワードメモは撮影者に渡さないでください。」等の文字情報が印字される。これは、顔撮影前に仮パスワードから新パスワードへの変更を促すメッセージである（事前パスワード変更方式）。これら印字欄ｗ６、ｗ７等の例えば、右側には印字欄ｗ８が設けられ、当該印字欄ｗ８にはバーコードＢＣが印字される。
【０１６７】
また、パスワードメモ票６０Ｂには、「パスワードメモ」のタイトルと共に、画像ＩＤ番号の記述欄ｗ５が設けられる。記述欄ｗ５には、画像ＩＤ番号として「０１２０  ２５３８  ２５５４  ２５６７」が印字される。この画像ＩＤ番号の記述欄ｗ５の下方には、新パスワードＰＷの記述欄ｗ９が設けられる。この記述欄ｗ９には、被撮影者５が指定した新パスワードＰＷの内容を記述するようになされる。例えば、記述欄ｗ９は４桁の「□□□□」が割り当てられる。この記述欄ｗ９の下方には受付ホームページの印字欄ｗ７が設けられる。印字欄ｗ７には「ｈｔｔｐ：//ｗｗｗ．＊＊＊．＊＊．＊＊」が印字される。
【０１６８】
なお、画像ＩＤ番号や仮パスワードＰＷ’等は、図１に示した情報管理装置３１により発番処理される。このような撮影受付カード６０は、例えば、顔画像登録管理業者のプリンタ３３によって作成される。これにより、パスワードメモ票６０Ｂ及び仮パスワードＰＷ’付きの撮影受付カード６０を被撮影者５の各々に配布することができる。
【０１６９】
この例でプリンタ３３によって作成された撮影受付カード６０の目視可能な仮パスワードＰＷ’を記載したお客様控え票６０Ａと、変更後の新たなパスワードＰＷを記述したパスワードメモ票６０Ｂとが切り離して使用される。このようにすると、バーコードリーダー１４は、パスワードＰＷの変更有無に無関係に、かつ、新たなパスワードＰＷを識別することなく、仮パスワードＰＷ’を読み込むことができる。
【０１７０】
続いて、顔画像撮影前の被撮影者５における処理例について説明をする。当該撮影受付カード６０を配布された被撮影者５は、顔画像登録管理業者に対して仮パスワードＰＷ’を変更して新パスワードＰＷを設定する。新パスワードＰＷはネットワーク試験業者等のサーバー１へ個人情報Ｄ１を送信する際に使用される。
【０１７１】
［事前パスワード変更例］
図１３は被撮影者５における事前パスワード変更時の構成例を示す図である。この例では、被撮影者側には通信機能付きパソコン４０が準備され、仮パスワードＰＷ’に基づいて新パスワードを設定するように操作される。この例で顔画像撮影をする前に、例えば、パソコン４０で所定のログイン画面において、仮パスワードＰＷ’を入力し、パスワード設定画面Ｐ２を立ち上げ、顔画像登録管理業者の顔画像サーバー３２へ新パスワードＰＷを送信するように操作される。
【０１７２】
図１３に示すパソコン４０は通信手段２を通じて図示しない顔画像登録管理業者の情報管理装置３１等に接続可能となされる。通信手段２にはインターネットや公衆電話回線が使用される。被撮影者５は、例えば、自分のパソコン４０から顔画像登録管理業者の情報管理装置３１等へアクセスし、図示しないログイン画面において、マウス４１やキーボード４２を使用して画像ＩＤ番号及び仮パスワードＰＷ’を入力する。
【０１７３】
マウス４１及びキーボード４２は入力手段の一例であり、顔画像登録管理業者のプリンタ３３によって作成された撮影受付カード６０であって、被撮影者５の各々に配布された撮影受付カード６０に関して被撮影者５から仮パスワードＰＷ’の変更要求を受け付けると共に、新たなパスワードＰＷを入力するように操作される。
【０１７４】
パソコン４０にはマウス４１やキーボード４２等の他にモニタ４３が設けられる。上述のログイン画面で、画像ＩＤ番号及び仮パスワードＰＷ’を入力することによってモニタ４３には、パスワード設定画面Ｐ１が表示される。このパスワード設定画面Ｐ１には、画像ＩＤ番号の表示領域ｗ２１が設けられる。この表示領域ｗ２１には例えば、「画像ＩＤ：１２３４５６７８９０」が表示される。
【０１７５】
更に、表示領域ｗ２１の下方には、顔画像表示予定欄ｗ２２や、「撮影予定日」の記述欄ｗ２３が設けられる。顔画像表示予定欄ｗ２２には「ここにあなたの顔写真が入ります。」等のメッセージが表示される。撮影予定日記述欄ｗ２３には例えば、「撮影予定日は２００３．４．７です。それまでにパスワードの変更をお願いします。本日は２００３．２．２８です。」等のメッセージが表示される。
【０１７６】
これらの顔画像表示予定欄ｗ２２や撮影予定日記述欄ｗ２３の下方には、撮影受付カード記載の仮パスワードＰＷ’の記載欄ｗ２４が設けられる。この記載欄ｗ２４には、マウス４１やキーボード４２を使用して仮パスワードＰＷ’を入力するようになされる。仮パスワード記載欄ｗ２４の下方には、新パスワードの記載欄ｗ２５が設けられる。この記載欄ｗ２５には、マウス４１やキーボード４２を使用して新パスワードＰＷを入力するようになされる。この例では４桁である。更に、新パスワード記載欄ｗ２５の下方には、パスワード確認のための再記述欄ｗ２６が設けられる。再記述欄ｗ２６にはマウス４１やキーボード４２を使用して新パスワードＰＷを再入力するようになされる。
【０１７７】
この再記述欄ｗ２６の下方には、送信キーＫ６、キャンセルキーＫ７が表示される。送信キーＫ６及びキャンセルキーＫ７は、マウス４１又はキーボード４２でクリックするように操作される。送信キーＫ６は新パスワードＰＷを顔画像登録管理業者の情報管理装置３１等に送信する際に例えば、マウス４１によってクリックされる。キャンセルキーＫ７は新パスワードＰＷの送信をキャンセルする際に、マウス４１によってクリックされる。新パスワードＰＷは例えば、パスワードメモ票６０Ｂの記述欄ｗ９の「□□□□」に記述するようになされる。これは新パスワードＰＷを忘れないようにするためである。これにより、仮パスワードＰＷ’を新パスワードＰＷに変更することができる。
【０１７８】
図１４は被撮影者５における事前パスワード変更例を示すフローチャートである。この例では、被撮影者側には通信機能付きパソコン４０が準備され、顔画像撮影をする前に、仮パスワードＰＷ’に基づいてパソコン４０のパスワード設定画面Ｐ２で、顔画像登録管理業者の情報管理装置３１を通じて顔画像サーバー３２へ新パスワードＰＷを設定する場合を例に挙げる。また、新パスワードＰＷの設定完了には、パソコン４０のモニタ４３に図示しないパスワード設定確認画面を表示するようになされる。
【０１７９】
これらを仮パスワードＰＷ’から新パスワードＰＷへの変更条件にして、図１４に示すフローチャートのステップＪ１で被撮影者５は、例えば、自分のパソコン４０から顔画像登録管理業者のＷｅｂサイトへアクセスする。このとき、パソコン４０は顔画像登録管理業者の情報管理装置３１に対して、インターネットや公衆電話回線等の通信手段２を通じて接続される。
【０１８０】
そして、上述の情報管理装置３１を接続すると、パソコン４０のモニタ４３には、顔画像登録管理業者のＷｅｂサイトのログイン画面が表示され、ステップＪ２でマウス４１やキーボード４２を使用して画像ＩＤ番号及び仮パスワードＰＷ’を入力すると、ステップＪ３で、ログイン画面からパスワード設定画面Ｐ２に表示が切り替わる。このパスワード設定画面Ｐ２には、「画像ＩＤ：１２３４５６７８９０」の画像ＩＤ番号が表示される。
【０１８１】
更に、画像ＩＤ表示領域ｗ２１の下方には、図１３に示したように、顔画像表示予定欄ｗ２２に、「ここにあなたの顔写真が入ります。」のメッセージが表示される。撮影予定日記述欄ｗ２３には、「撮影予定日は２００３．４．７です。それまでにパスワードの変更をお願いします。本日は２００３．２．２８です。」等のメッセージが表示される。これらの顔画像表示予定欄ｗ２２や撮影予定日記述欄ｗ２３の下方には、仮パスワードＰＷ’の記載欄ｗ２４が表示される。更に仮パスワード記載欄ｗ２４の下方には、新パスワードの記載欄ｗ２５及びｗ２６が表示される。
【０１８２】
そして、被撮影者５はステップＪ４で記載欄ｗ２５に対して、マウス４１やキーボード４２を使用して新パスワードＰＷを入力する。その後、ステップＪ５で記載欄ｗ２６に対して、マウス４１やキーボード４２を使用して新パスワードＰＷを再入力する。
【０１８３】
更に、被撮影者５は、モニタ４３に表示された新パスワードＰＷの内容を良く確認し、ステップＪ６で顔画像登録管理業者に対する新パスワードＰＷを設定するか否かを判断する。この際の判断は被撮影者５である。新パスワードＰＷが良好であると確認し、この新パスワードＰＷを設定する場合は、ステップＪ７に移行して送信キーＫ６をマウス４１によってクリックする。
【０１８４】
このマウスクリックによって、パソコン４０から顔画像登録管理業者等の情報管理装置３１へ被撮影者５の新パスワードＰＷを転送するようになされる。パスワードＰＷが転送完了すると、ステップＪ８に移行してパソコン４０のモニタ４３には図示しないパスワード設定確認画面を表示し、ステップＪ９で新パスワードＰＷの入力を確認するようになされる。新パスワードＰＷはパソコン４０に保存する（ブラウザのクッキーに書込んでおく）と便利である。
【０１８５】
また、新パスワードＰＷの入力確認「ＯＫ」の場合は、ステップＪ１０に移行して仮パスワードＰＷ’を削除した後、新パスワードＰＷの入力処理を終了する。ステップＪ９でパスワードＰＷの入力確認「ＮＧ」の場合は、ステップＪ３のパスワード設定画面Ｐ１に戻って上述した処理を繰り返すようになされる。
【０１８６】
上述のステップＪ５で当該パスワードが異なっていることを確認し、このパスワードＰＷの設定を取り止める場合は、ステップＪ１１に移行してキャンセルキーＫ７を押下する。このキャンセルキーＫ７を押下することによって、既に入力してしたパスワードＰＷについては、その送信がキャンセルされる。
【０１８７】
このように構成すると、仮パスワードＰＷ’に基づいて本人が自宅のパソコン４０上で顔画像撮影に至る前段階で新パスワードＰＷを設定できるようになる。この新パスワードＰＷは、被撮影者５によってパスワードメモ票６０Ｂの記述欄ｗ９に、その内容を記述するようになされる。なお、事前パスワード変更受付けについては、この記述欄ｗ９の下方に印字された受付ホームページ「ｈｔｔｐ：//ｗｗｗ．＊＊＊．＊＊．＊＊」にアクセス可能となされている。
【０１８８】
その後の処理に関しては、二連式の撮影受付カード５０の場合とほぼ同様にして、撮影時、撮影受付カード６０からパスワードメモ票６０Ｂを切り離し、お客様控え票６０Ａの方を撮影者に提示する。パスワードメモ票６０Ｂは被撮影者５で保管される。撮影者はお客様控え票６０Ａを受け取り、バーコードリーダー１４を操作してお客様控え票６０ＡからバーコードＢＣを読み取る。バーコードＢＣは画像ＩＤ番号を成すものである。
【０１８９】
カメラ２１は当該被撮影者５を撮影して所定の顔画像データＤfaを取得する。カメラ内のシステムコントローラー２５は、撮像素子１２によって取得された被撮影者５の顔画像データＤfaと、バーコードリーダー１４によって読み取られた当該被撮影者５の画像ＩＤ番号とを関連づけて各々保存するように内蔵メモリ２３を制御する。
【０１９０】
この制御を受けて内蔵メモリ２３には、被撮影者５の顔画像データＤfaと、画像ＩＤ番号とが関連付けて記憶される（図１１参照）。この内蔵メモリ２３に記憶された画像ＩＤ番号＋顔画像データＤfaは、適宜、顔画像登録管理業者の情報管理装置３１を通じて顔画像サーバー３２にアップロード（登録）するようになされる（図１９参照）。
【０１９１】
このように、本発明に係る第３の実施例としての撮影画像登録システム及び、撮影画像登録方法によれば、撮影後の各々の被撮影者５の顔画像データＤfaを利用するための画像ＩＤ番号に基づいて被撮影者５の顔画像を登録する場合に、顔画像データＤfaを特定するための画像ＩＤ番号と目視可能な仮パスワードＰＷ’とを併設した撮影受付カード６０が顔画像登録管理業者のプリンタ３３によって作成される。
【０１９２】
これを前提にして、上述のプリンタ３３によって作成された撮影受付カード６０であって、被撮影者５の各々に配布された撮影受付カード６０に関して被撮影者５から仮パスワードＰＷ’の変更要求を受け付けられると共に、新たなパスワードＰＷがマウス４１やキーボード４２等により入力される。新たなパスワードＰＷは、顔画像登録管理業者の情報管理装置３１を通じて顔画像サーバー３２や会員制業者のサーバー等に登録される。
【０１９３】
また、撮影時に、顔画像撮影システム２０におけるカメラ２１では、撮像素子１２が被撮影者５を撮影して所定の顔画像データＤfaを取得するようになされる。システムコントローラー２５は、被撮影者５の顔画像データＤfaと、当該被撮影者５の画像ＩＤ番号とを関連づけて保存するように内蔵メモリ２３を制御する。内蔵メモリ２３には、撮像素子１２により取得された被撮影者５の顔画像データＤfaと、バーコードリーダー１４によりお客様控え票６０Ａから読み取られた当該被撮影者５の画像ＩＤ番号とが関連づけて記憶される。
【０１９４】
従って、予め各々の被撮影者５に配布した仮パスワードＰＷ’を撮影前に容易に変更すること、変更された新たなパスワードＰＷと当該被撮影者５の顔画像データＤfaとを顔画像サーバー３２内で容易に結合することができる。しかも、撮影時、撮影受付カード６０の目視可能な仮パスワードＰＷ’を記載したお客様控え票６０Ａと、変更後の新たなパスワードＰＷを記述したパスワードメモ票６０Ｂとを切り離して使用されるので、変更後の新たなパスワードＰＷを記述したパスワードメモ票６０Ｂが被撮影者５の手元に残って、撮影者等の他人には露呈されない。つまり、撮影者は新パスワードＰＷを一切目にしないので、少なくとも、撮影時に、被撮影者５の新パスワードＰＷの漏洩を防止できるようになる。従って、撮影時における被撮影者５の新パスワードＰＷの秘匿性を確保することができる。
【０１９５】
なお、撮影前にパスワードが変更されていない場合、顔撮影を抑止する制御を当該撮影画像登録システム１００に取り入れると、なお、セキュリティを高めることができる。例えば、カメラ２１で画像ＩＤ番号を取得する都度、ネットワークに接続された情報管理装置３１にアクセスして、当該画像ＩＤ番号に係る仮パスワードＰＷ’の新パスワードＰＷへの変更を確認するようにする。
【実施例４】
【０１９６】
本発明に係る第４の撮影画像登録システム及び撮影画像登録方法について、撮影受付カードの作成例と、撮影時パスワード設定例と、顔画像データのアップロード時の処理例とに分けて説明をする。
【０１９７】
［撮影受付カードの作成例］
図１５は本発明に係る第４の実施例としての撮影画像登録システム１００で適用する団体撮影用のパスワードメモ欄付きの撮影受付カード９０の構成例を示す図である。
【０１９８】
この実施例では、撮影後の各々の被撮影者５の顔画像データＤfaを利用するための画像ＩＤ番号に基づいて被撮影者５の顔画像データＤfaを登録する場合に、撮影時にパスワードＰＷを設定し、このパスワードＰＷの設定に基づいて内蔵メモリ２３を制御するシステムコントローラー２５を備える。
【０１９９】
図３に示したカメラ２１で撮像素子１２によって取得された被撮影者５の顔画像データＤfaと、撮影受付カード９０から読み取られた当該被撮影者５の画像ＩＤ番号と、操作手段によって設定された当該被撮影者５のパスワードＰＷとを関連づけて各々保存するように内蔵メモリ２３を制御する。そして、撮影時に設定された被撮影者５のパスワードＰＷと、当該被撮影者５の顔画像データＤfaとを容易に結合できるようにすると共に、パスワードＰＷの設定時に、被撮影者５のパスワードＰＷの秘匿性を確保できるようにしたものである。
【０２００】
図１５に示す撮影受付カード９０は当該撮影画像登録システム１００で適用されるものであり、各種学校等において、団体撮影を目的とした撮影整理票である。撮影受付カード９０の大きさは、先に図４で説明した撮影受付カード１０とほぼ同じ大きさ及び厚さを有している。この撮影受付カード９０が、第１の実施例の撮影受付カード１０と異なるところは、パスワードＰＷの印字欄ｗ６がパスワードＰＷの記述欄ｗ９となされる点である。
【０２０１】
撮影受付カード９０の画像ＩＤ番号の記述欄ｗ５の下方には、新パスワードＰＷの記述欄ｗ９が設けられる。この記述欄ｗ９には、被撮影者５が撮影時に設定した新パスワードＰＷの内容を記述するようになされる。例えば、記述欄ｗ９は４桁の「□□□□」が割り当てられる。もちろん、記述欄ｗ９上に隠蔽処理等はなされない。その他は、第１の実施例で説明した撮影受付カード１０と同じ印字内容となるのでその説明を省略する。
【０２０２】
図１６は撮影画像登録システム１００におけるパスワード設定時の構成例を示す図である。
図１６に示す撮影画像登録システム１００は、撮影後の各々の被撮影者５の顔画像データＤfaを利用するための画像ＩＤ番号に基づいて被撮影者５の顔画像を登録するシステムである。図１６に示すカメラ２１にはバーコードリーダー１４や、パソコン８０等が接続される。バーコードリーダー１４は、被撮影者５の各々に配布された撮影受付カード９０から画像ＩＤ番号を読み取るようになされる。撮影受付カード９０は顔画像登録管理業者のプリンタ３３によって作成されたものである。例えば、プリンタ３３は顔画像データＤfaを特定するための画像ＩＤ番号を設けたパスワードメモ欄付きの撮影受付カード９０を作成する（図１５参照）。
【０２０３】
また、カメラ２１にはバーコードリーダー１４の他にキーボード９１が接続される。キーボード９１は操作手段の一例であり、被撮影者５のパスワードＰＷを設定するように操作される。キーボード９１には数字「１」〜「０」キーや、ローマ字「ａ」〜「ｚ」キーを有した入力ツールが使用される。キーボード９１は被撮影者５によって操作される。操作手段には、キーボード９１の他に、パスワードプリンタ９２、指紋リーダー９３、カードリーダー９４、及び、カードリード／ライター９５が使用される。
【０２０４】
パスワードプリンタ９２は、例えば、キーボード９１によって設定された被撮影者５のパスワードＰＷを印字して単票等を出力するように操作される。被撮影者５は、パスワードＰＷが印字された単票等を自宅に持ち帰ることができる。指紋リーダー９３は生体情報読取手段の一例であり、被撮影者５の指紋（生体情報）を読み取るものである。指紋リーダー９３によって読み取られた指紋検出信号はカメラ２１に出力される。カメラ内で、図３に示したシステムコントローラー２５は、指紋検出信号に基づく被撮影者特有の識別情報をパスワードＰＷの内容に関連付けるようになされる。
【０２０５】
カードリーダー９４は情報読取手段の一例であり、被撮影者５の所有する図示しないＩＤカード（記録媒体）から既存のパスワード等を読み取るものである。カードリーダー９４によって読み取られたパスワード読取信号はシステムコントローラー２５に出力される。上述のシステムコントローラー２５で、パスワード読取信号に基づく既存のパスワード等を撮影時のパスワードＰＷの内容とすることができるようになる。
【０２０６】
カードリード／ライター９５は情報記録手段の一例であり、キーボード９１によって設定された被撮影者５のパスワードＰＷを任意の記録媒体に記録するように操作される。記録媒体は非接触及び接触式のＩＤカードであり、その種類は磁気カードやＩＣカード等である。
【０２０７】
カメラ２１には操作手段の他に表示手段の一例となる外付けモニタ２９が接続され、例えば、キーボード９１によって設定された被撮影者５のパスワードＰＷを表示する。外付けモニタ２９には、液晶表示ディスプレイとタッチパネルを組み合わせたものが使用される。タッチパネルの操作機能を利用して各種選択項目等を選択し設定できるようになされる。
【０２０８】
外付けモニタ２９にはパスワードＰＷの他に被撮影者５の顔画像を表示するようになされる。外付けモニタ２９には、被撮影者５の顔画像の特徴部分に係る映像（以下特徴画像Ｇ７という）が表示される。モニタ２９には、例えば、３０万画素程度以下の解像度のものが使用される。
【０２０９】
なお、図１６に示すカメラ２１内にはシステムコントローラー２５の他に、図３に示した撮像素子１２が設けられ、被撮影者５を撮影して所定の顔画像データＤfaを取得するようになされる。カメラ２１内には撮像素子１２の他に内蔵メモリ２３が設けられる。システムコントローラー２５は、内蔵メモリ２３の入出力を制御する。例えば、システムコントローラー２５は、撮像素子１２によって取得された被撮影者５の顔画像データＤfaと、バーコードリーダー１４によって読み取られた当該被撮影者５の画像ＩＤ番号と、キーボード９１によって設定された当該被撮影者５のパスワードＰＷとを関連づけて各々保存するように内蔵メモリ２３を制御する。内蔵メモリ２３はこの制御を受けて、被撮影者５の顔画像データＤfa、画像ＩＤ番号及びパスワードＰＷを記憶するようになされる。
【０２１０】
［撮影時パスワード設定例］
図１７及び図１８は顔画像撮影システム２０における顔撮影時のパスワード設定例（その１、２）を各々示すフローチャートである。
この実施例では、撮影後の各々の被撮影者５の顔画像データＤfaを利用するための画像ＩＤ番号に基づいて被撮影者５の顔画像を登録する場合を前提とする。顔画像データＤfaを特定するための画像ＩＤ番号を設けた撮影受付カード９０を作成し、その後、当該撮影受付カード９０を被撮影者５の各々に配布する。
【０２１１】
撮影時、被撮影者５の撮影受付カード９０から画像ＩＤ番号を読み取ると共に、当該被撮影者５を撮影して所定の顔画像データＤfaを取得する。この撮影前又は撮影後に、被撮影者５からパスワードＰＷの設定を受け付けるようになされる。この例で、パスワードＰＷの入力形態に関しては、キーボード９１、指紋リーダー９３、カードリーダー９４、及び、カードリード／ライター９５の４つが準備される。指紋リーダー９３はキーボード９１やカードリーダー９４等により入力されるパスワードＰＷのセキュリティ強化に使用される場合を例に採る。
【０２１２】
この例では、顔撮影して取得された被撮影者５の顔画像データＤfaと、バーコードリーダー１４で読み取られた当該被撮影者５の画像ＩＤ番号と、撮影時に受け付けられた当該被撮影者５のパスワードＰＷとを関連づけて各々保存する場合を例に挙げる。
【０２１３】
これらを顔撮影時のパスワード設定条件にして、図１７に示すフローチャートのステップＬ１で撮影受付カード９０からバーコードＢＣを読み取る。このとき、撮影者はバーコードリーダー１４を操作して、被撮影者５の撮影受付カード９０からバーコードＢＣを読み取るようになされる。この操作によって、バーコードリーダー１４からカメラ２１のシステムコントローラー２５にはコード読取信号Ｓｂが出力される。システムコントローラー２５は、バーコードリーダー１４から出力されるコード読取信号Ｓｂを復号化して画像ＩＤ番号を検出（取得）する。
【０２１４】
そして、ステップＬ２でカメラ２１ではパスワードＰＷを設定するかがチェックされる。例えば、所定のアプリケーションに基づいて図示しないパスワードを設定するか否かを選択させるための画面を外付けモニタ２９に表示する。その後、被撮影者５に対してステップＬ３でパスワードＰＷの入力形態を選択するようになされる。この例ではキーボード９１、指紋リーダー９３、カードリーダー９４、及び、カードリード／ライター９５の４つが準備される。各々の入力形態は外付けモニタ２９にアイコン表示され、モニタ２９のタッチパネル機能を利用して選択可能となされる。
【０２１５】
この例では、パスワード設定画面上に、キー入力、カード入力、及び指紋入力の３つの項目（選択枝）が表示される。このとき、一以上の項目を選択可能となされている。これは、指紋入力で読み取りミスが生じた場合に他の項目でカバーするためである。例えば、指紋照合に失敗しても、キー入力やカード入力等によるパスワードが適合すればよいとすることができる。この３項目から選択される入力形態に基づいてシステムコントローラー２５は、ステップＬ４で制御を分岐する。
【０２１６】
ステップＬ４でキー入力が選択された場合は、ステップＬ５に移行して、パスワードをキーボード入力設定するようになされる。例えば、被撮影者はキーボード９１を操作してパスワードをシステムコントローラー２５に入力する。パスワードＰＷは例えば４桁の数字等である。パスワードＰＷは「１２５２」等である。その後、図１８に示すフローチャートのステップＬ８に移行する。
【０２１７】
また、ステップＬ４でカード入力が選択された場合は、ステップＬ６に移行してカードリーダー９４や、カードリード／ライター９５等のアイコンが表示され、既存のカードを読み取ってパスワードを入力設定するようになされる。例えば、カードリーダー９４等で既存のカードが係合付けられると、周知の技術に基づいて、カード情報を読み取るようになされる。その後、図１８に示すフローチャートのステップＬ８に移行する。
【０２１８】
更に、ステップＬ４で指紋入力が選択された場合は、ステップＬ７に移行して、指紋リーダー９３のアイコンが表示され、パスワードを指紋入力設定するようになされる。例えば、被撮影者５に対し、指紋リーダー９３の図示しない検出部に指を載置するように案内される。指紋リーダー９３は検出部に載置された被撮影者５の指紋を読み取って指紋読取信号をカメラ内のシステムコントローラー２５に出力するようになされる。
【０２１９】
このように被撮影者５の指紋の特徴をパスワードとしておくと、後で個人情報入力のときに、他人になりすまされる危険度を下げることができ、本人識別情報として好適に利用できる。生体情報は指紋に限られることはなく、虹彩、網膜、ＤＮＡ等を適用することができる。また、本人識別情報は、被撮影者５の複数の生体情報から作成するようにしてもよい。
【０２２０】
そして、図１８に示すフローチャートのステップＬ８に移行して、システムコントローラー２５は外付けモニタ２９にパスワードＰＷを表示する。このとき、既に顔撮影が済んでいるのならば、被撮影者５の顔画像をパスワードＰＷと共に表示してもよい。被撮影者５の顔画像は、図６に示したフローチャートに従って取得される（図６参照）。
【０２２１】
そして、被撮影者５は、外付けモニタ２９に表示されたパスワードＰＷの内容を良く確認し、ステップＬ９で顔画像登録管理業者に対するパスワードＰＷを設定するか否かを判断する。この際の判断は被撮影者５である。パスワードＰＷが良好であると確認し、このパスワードＰＷを設定する場合は、ステップＬ１０に移行してモニタ２９に表示された、図示しない設定ボタンアイコンキーを押下する。
【０２２２】
この設定ボタンアイコンキーを押下することによって、パソコン４０から顔画像登録管理業者等の情報管理装置３１へ被撮影者５のパスワードＰＷを転送するようになされる。パスワードＰＷが転送完了すると、ステップＬ１１に移行して外付けモニタ２９には図示しないパスワード設定確認画面が表示され、ステップＬ１２でパスワードＰＷの入力を確認するようになされる。
【０２２３】
ここでパスワードＰＷの入力確認「ＯＫ」の場合は、ステップＬ１３に移行してパスワードＰＷのプリントアウト（印字出力）するかのチェック項目が表示される。被撮影者５がプリントアウトを希望する場合は、ステップＬ１４に移行して当該チェック項目を選択することで、パスワードプリンタ９２からパスワードＰＷを印字した所定の用紙が出力される。印字出力完了によりパスワードＰＷの入力処理を終了する。ステップＬ１２でパスワードＰＷの入力確認「ＮＧ」の場合は、ステップＬ２に戻って上述した処理を繰り返すようになされる。
【０２２４】
また、上述のステップＬ９で当該パスワードが間違っていることを確認し、このパスワードＰＷの設定を取り止める場合は、ステップＬ１５に移行して図示しないキャンセルボタンアイコンキーを押下する。このキャンセルボタンアイコンキーを押下することによって、既に入力してしたパスワードＰＷについては、その設定がキャンセルされる。
【０２２５】
更に、また、ステップＬ２で撮影時にパスワードＰＷを設定しない場合は、ステップＬ１６に移行して他の手段によってパスワードＰＷを設定するようになされる。例えば、本人が自宅のパソコン４０上で顔画像撮影後にパスワードＰＷを設定するような形態を採ることができる。
【０２２６】
また、顔画像撮影を終了した被撮影者５における情報処理例については、図７及び図８に示した通りである。その説明を補足するならば、撮影時にプリントアウトされ、その用紙に印字されたパスワードＰＷに基づいて、例えば、ネットワーク試験業者等のサーバー１へ個人情報Ｄ１を送信するようになされる（図７及び図８参照）。
【０２２７】
［顔画像データのアップロード時の処理例］
図１９は、顔画像データのアップロード時の構成例を示す図である。この例でカメラ２１には図１９に示すパソコン８０が接続され、当該パソコン８０から顔画像登録管理業者の顔画像サーバー３２へ画像ＩＤ番号＋顔画像データＤfa＋パスワードＰＷをアップロードする場合や、光磁気ディスク（ＭＯ）１８を装着して被撮影者５の画像ＩＤ番号、顔画像データＤfa及びパスワードＰＷを記録し、このＭＯ１８を画像情報登録装置３０の設置場所に搬送するようになされる。パソコン８０は図３に示したカメラ２１の外付けＰＣインターフェース２８に接続される。
【０２２８】
この例で、顔画像撮影システム２０にはカメラ２１の他にパソコン８０が備えられ、被撮影者５の顔特徴部分となる特徴画像（顔画像の特徴部分に係る映像）Ｇ７を暗号化するようになされる。特徴画像Ｇ７の暗号化は、周知の技術によって行われる。パソコン８０は上述のカメラ２１に接続されると共に通信手段２に接続される。この例でパソコン８０により暗号化された被撮影者５の特徴画像Ｇ７と、当該被撮影者５の特徴部分を含む顔全体縮小画像とは関連付けられ、通信手段２を通じて画像情報登録装置３０へ送信される。
【０２２９】
パソコン８０には、通信手段２を通じて図１に示したような画像情報登録装置３０が接続され、顔画像撮影システム２０で情報結合処理した被撮影者５の画像ＩＤ番号、顔画像データＤfa及びパスワードＰＷを通信手段２を通じて画像情報登録装置３０に登録するようになされる。通信手段２にはインターネットや公衆電話回線が使用される。
【０２３０】
パソコン８０にはモニタ８３が設けられ、このモニタ８３には顔画像アップロード画面Ｐ３を表示するようになされる。顔画像アップロード画面Ｐ３には被撮影者５の特徴画像Ｇ７が表示される。モニタ８３には、例えば、３０万画素程度以下の解像度のものが使用される。特徴画像Ｇ７は被撮影者５の左右の目を中心としたその周辺部位を含む拡大映像である。これは被撮影者５の顔画像を部分拡大した画素で本人確認（判別）を容易するためである。
【０２３１】
顔画像アップロード画面Ｐ３には、被撮影者５の顔全体縮小画像Ｇ０及び特徴画像Ｇ７の他に、アップ用のキーＫ４、ダウン用のキーＫ５、送信キーＫ６、キャンセルキーＫ７及び画像検索キーＫ８が表示される。アップ及びダウン用のキーＫ４、Ｋ５、送信キーＫ６、キャンセルキーＫ７及び画像検索キーＫ８は、マウス８１又はキーボード８２でクリックするように操作される。
【０２３２】
アップ用のキーＫ４は、モニタ８３の画面上で被撮影者５の特徴画像Ｇ７を上方向に画面切換え表示する際にマウス操作される。ダウン用のキーＫ５は、同様にして、被撮影者５の特徴画像Ｇ７を下方向に画面切換え表示する際にマウス操作される。なお、特徴画像Ｇ７の拡大縮小用の機能及び操作ボタンを別に設置してもよい。送信キーＫ６は顔画像データＤfaを顔画像登録管理業者の顔画像サーバー３２へ送信する際に例えば、マウス８１によってクリックされる。
【０２３３】
この例で、顔画像データＤfaを送信完了した際には、元画像を削除することが望ましい。顔画像データＤfaの流出を防止するためである。キャンセルキーＫ７は顔画像データＤfaの送信をキャンセルする際に、マウス８１によってクリックされる。画像検索キーＫ８は次画像を検索する際にマウスによってクリックされる。
【０２３４】
また、パソコン８０には、図示しないＣＤ−ＲＯＭドライバや、ＤＶＤドライバ等が含まれる。これらのドライバにＭＯ１８を装着して被撮影者５の画像ＩＤ番号及び顔画像データＤfaを記録するようになされる。顔画像データＤfa等は暗号化してＭＯ１８に書き込み、その後、顔画像データＤfa等の元画像は削除することが望ましい。顔画像データＤfaの流出を防止するためである。ＭＯ１８は画像情報登録装置３０の設置場所に搬送される。顔画像登録管理業者において、ＭＯ１８から被撮影者５の画像ＩＤ番号及び顔画像データＤfaが読み出され、顔画像登録するように処理される。
【０２３５】
図２０は、顔画像データＤfaのアップロード時の処理例を示すフローチャートである。この例では、図１９に示したパソコン８０を使用し、顔画像アップロード画面Ｐ３上で、顔画像登録管理業者の顔画像サーバー３２へ画像ＩＤ番号＋顔画像データＤfa＋パスワードＰＷをアップロードする場合と、ＭＯ１８に被撮影者５の画像ＩＤ番号、顔画像データＤfa及びパスワードＰＷを記録して画像情報登録装置３０の設置場所に搬送する場合について説明をする。この例で、顔画像データＤfaは「良好」フラグＦＧ（図６Ｂ参照）に基づいてアップロードするようになされる。
【０２３６】
これらをアップロード（登録）条件にして、図２０に示すフローチャートのステップＱ１で撮影者は、顔画像アップロード画面Ｐ３上で図示しない転送形態選択画ポップアップ画面等で、画像ＩＤ番号＋顔画像データＤfa＋パスワードＰＷの転送形態を選択する。この際の選択は、アップロード時の転送制御を分岐するためである。通信手段２を使用して画像ＩＤ番号＋顔画像データＤfa＋パスワードＰＷを顔画像登録管理業者の顔画像サーバー３２に送信する場合は、ステップＱ２に移行して、パソコン８０は、「良好」フラグＦＧが付加された画像ＩＤ番号＋顔画像データＤfa＋パスワードＰＷを検索する。この「良好」フラグＦＧが付加された画像ＩＤ番号＋顔画像データＤfa＋パスワードＰＷは、内蔵メモリ２３を検索することで得られる。
【０２３７】
そして、ステップＱ３に移行して、モニタ８３には３０万画素程度以下の解像度によって、被撮影者５の顔全体縮小画像Ｇ０が表示される。更に、ステップＱ４で顔全体縮小画像Ｇ０に関連付けられた特徴画像Ｇ７を表示する。このとき、モニタ８３には例えば、３０万画素程度以下の解像度によって、被撮影者５の左右の目を中心としたその周辺部位を含む拡大映像である特徴画像Ｇ７が表示される。特徴画像Ｇ７によって、被撮影者５の顔画像を部分拡大した画素で本人確認（判別）が容易になされる。
【０２３８】
その後、ステップＱ５で撮影者は被撮影者５の画像ＩＤ番号＋顔画像データＤfa＋パスワードＰＷを顔画像サーバー３２へアップロードするか否かを判断する。撮影が良好でアップロード「ＯＫ」であると判断した場合は、ステップＱ６に移行して撮影者は送信キーＫ６をマウス８１によってクリックする。このマウスクリックによって、内蔵メモリ２３に保持された被撮影者５の画像ＩＤ番号＋顔画像データＤfa＋パスワードＰＷが顔画像登録管理業者の顔画像サーバー３２へ転送される。その後、ステップＱ７に移行して転送完了処理を実行する。例えば、転送完了フラグを画像ＩＤ番号に付加して保存する。なお、顔画像データＤfaを転送完了した際には、元画像が削除される。顔画像データＤfaの流出を防止するためである。その後、ステップＱ１に戻る。
【０２３９】
また、ステップＱ５で撮影が不良でアップロード「ＮＧ」であると判断した場合は、当該被撮影者５の画像ＩＤ番号＋顔画像データＤfa＋パスワードＰＷは顔画像サーバー３２へ転送せずに、ステップＱ８に移行して次の顔画像を検索する。このとき、マウス８１によって画像検索キーＫ８がクリックされ、次画像を検索するようになされる。その後、ステップＱ１に戻る。
【０２４０】
また、ステップＱ１でＭＯ１８を使用して画像ＩＤ番号＋顔画像データＤfa＋パスワードＰＷを顔画像登録管理業者へ搬送する場合は、ステップＱ９に移行して、パソコン８０のＤＶＤドライバ等にＭＯ１８を装着する。そして、ステップＱ１０で被撮影者５の画像ＩＤ番号、顔画像データＤfa及びパスワードＰＷを記録するようになされる。顔画像データＤfa等は暗号化してＭＯ１８に書き込まれる。
【０２４１】
その後、ステップＱ１１に移行して顔画像データＤfa等の元画像は削除する。顔画像データＤfaの流出を防止するためである。そして、ＭＯ１８はステップＱ１２でパソコン８０から取り外された後に、画像情報登録装置３０の設置場所に搬送される。例えば、ＭＯ１８はバイク便、宅配便等により陸路、海路、又は空路を搬送され、顔画像登録管理業者に至る。顔画像登録管理業者において、ＭＯ１８から被撮影者５の画像ＩＤ番号、顔画像データＤfa及びパスワードＰＷが読み出され、顔画像登録するように処理される。その後、ステップＱ１に戻り、上述した処理が繰り返される。
【０２４２】
このようにすると、パソコン８０を使用して、顔画像登録管理業者の顔画像サーバー３２へ画像ＩＤ番号＋顔画像データＤfa＋パスワードＰＷをアップロードしたり、ＭＯ１８に被撮影者５の画像ＩＤ番号、顔画像データＤfa及びパスワードＰＷを記録して画像情報登録装置３０の設置場所に搬送することができる。しかも、良好な画像ＩＤ番号＋顔画像データＤfa＋パスワードＰＷのみを転送できるので無駄が生じない。
【０２４３】
このように、本発明に係る第４の実施例としての撮影画像登録システム及び撮影画像登録方法によれば、撮影後の各々の被撮影者５の顔画像データＤfaを利用するための画像ＩＤ番号に基づいて被撮影者５の顔画像を登録する場合に、顔画像データＤfaを特定するための画像ＩＤ番号を設けた撮影受付カード９０が顔画像撮影業者のプリンタ３３によって作成される。
【０２４４】
このプリンタ３３によって作成された撮影受付カード９０であって、被撮影者５の各々に配布された撮影受付カード９０から、撮影時、画像ＩＤ番号がバーコードリーダー１４によって読み取られる。カメラ２１では、被撮影者５を撮影して所定の顔画像データＤfaを取得するようになされる。また、カメラ２１に接続されたキーボード９１、指紋リーダー９３、カードリーダー９４、及び、カードリード／ライター９５等の操作手段は、被撮影者５のパスワードＰＷを設定するように操作される。
【０２４５】
これを前提にして、カメラ内のシステムコントローラー２５は、撮像素子１２によって取得された被撮影者５の顔画像データＤfaと、バーコードリーダー１４によって読み取られた当該被撮影者５の画像ＩＤ番号と、キーボード９１、指紋リーダー９３、カードリーダー９４又はカードリード／ライター９５等によって設定された当該被撮影者５のパスワードＰＷとを関連づけて各々保存するように内蔵メモリ２３を制御する。内蔵メモリ２３には、被撮影者５の顔画像データＤfa、画像ＩＤ番号及びパスワードＰＷが関連付けられて記憶される。
【０２４６】
従って、撮影時に設定された被撮影者５のパスワードＰＷと、当該被撮影者５の顔画像データＤfaとを容易に結合することができる。しかも、パスワードＰＷ設定時に、被撮影者５のパスワードＰＷの表示及び印字出力を制限するようにすれば、撮影者を含めて他人には、一切パスワードＰＷが露呈されないので、少なくとも、撮影時に、被撮影者５のパスワードＰＷの漏洩を防止できるようになる。従って、撮影時における被撮影者５のパスワードＰＷの秘匿性を確保することができる。
【０２４７】
なお、第１〜第３の実施例では、顔画像データのアップロードに関して、画像ＩＤ番号＋顔画像データＤfaの転送形態を採っているのに対して、第４の実施例では画像ＩＤ番号＋顔画像データＤfa＋パスワードＰＷの転送形態を採る点で異なっている。例えば、事前パスワード変更方式のように、アップロードにはパスワードＰＷを要しないシステムが構築できる。
【実施例５】
【０２４８】
本発明に係る第５の実施例としての撮影画像登録システム及び撮影画像登録方法について、被撮影者における指紋照合を含めた個人情報の入力例について説明をする。
【０２４９】
図２１は被撮影者５における指紋照合を含めた個人情報入力時の構成例を示す図である。この例では、被撮影者側には通信機能付きパソコン４０及び指紋リーダー９３が準備される。この例で顔画像データＤfaを顔画像登録管理業者に登録した後、パソコン４０は、個人情報入力画面Ｐ２で、パスワードＰＷを入力すると共に本人の指紋を入力し、その指紋照合処理をした後に、ネットワーク試験業者のサーバー１へ個人情報Ｄ１を送信するように操作される。
【０２５０】
図２１に示すパソコン４０は、第１の実施例と同様にして、通信手段２を通じて図示しないネットワーク試験業者等のサーバー１等に接続可能となされる。通信手段２にはインターネットや公衆電話回線が使用される。受験者（被撮影者）５’は、例えば、自分のパソコン４０で、ネットワーク試験業者等のサーバー１をアクセスし、マウス４１やキーボード４２を使用して画像ＩＤ番号及びパスワードＰＷを入力する。更に、パソコン４０に接続された指紋リーダー９３に本人の指紋を入力し、その指紋照合処理するようになされる。
【０２５１】
パソコン４０にはモニタ４３が設けられる。上述の画像ＩＤ番号、パスワードＰＷ及び指紋情報を入力することによってモニタ４３には、個人情報入力画面Ｐ４が表示される。この個人情報入力画面Ｐ４には、「０１２０  ２５３８  ２５５４  ２５６７」の画像ＩＤ番号や、「＊＊＊＊＊」等のパスワードＰＷ、指紋照合「適合」等が表示される。「適合」の文字情報は指紋照合欄の右隣りの記述領域ｗ１４に表示される。このパスワード表示領域の下方には、例えば、３０万画素以下の解像度で被撮影者５の顔全体縮小画像Ｇ０及び特徴画像Ｇ７が表示される。特徴画像Ｇ７は被撮影者５の左右の目を中心としたその周辺部位を含む拡大映像である。これは被撮影者５の顔画像を部分拡大した画素で本人確認（判別）を容易するためである。
【０２５２】
この個人情報入力画面Ｐ４には被撮影者５の顔全体縮小画像Ｇ０及び特徴画像Ｇ７の他に、アップ用のキーＫ４、ダウン用のキーＫ５が表示される。このアップ及びダウン用のキーＫ４、Ｋ５の表示領域の下方には、個人情報Ｄ１の入力するための３つの記述領域ｗ１１〜ｗ１３が表示される。記述領域ｗ１１は受験者５’等の名前を入力する表示領域である。受験者５’等の名前は、キーボード４２を使用して入力するようになされる。
【０２５３】
また、記述領域ｗ１２は受験者５’等の住所を入力する表示領域である。受験者５’等の住所は、キーボード４２を使用して入力するようになされる。記述領域ｗ１３は受験者５’等の生年月日を入力する表示領域である。受験者５’等の生年月日は、キーボード４２を使用して入力するようになされる。
【０２５４】
この記述領域ｗ１３の下方には、送信キーＫ６、キャンセルキーＫ７が表示される。アップ及びダウン用のキーＫ４、Ｋ５、送信キーＫ６及びキャンセルキーＫ７は、マウス４１又はキーボード４２でクリックするように操作される。アップ用のキーＫ４は、モニタ４３の画面上で被撮影者５の特徴画像Ｇ７を上方向に画面切換え表示する際にマウス操作される。ダウン用のキーＫ５は、同様にして、被撮影者５の特徴画像Ｇ７を下方向に画面切換え表示する際にマウス操作される。なお、特徴画像Ｇ７の拡大縮小用の機能及び操作ボタンを別に設置してもよい。
【０２５５】
送信キーＫ６は個人情報Ｄ１をネットワーク試験業者等のサーバー１へ送信する際に例えば、マウス４１によってクリックされる。なお、個人情報Ｄ１を送信完了した際には、元データを削除することが望ましい。個人情報Ｄ１の流出を防止するためである。キャンセルキーＫ７は個人情報Ｄ１の送信をキャンセルする際に、マウス４１によってクリックされる。例えば、顔画像が先に登録したものと異なる（自分ではない）場合には、個人情報Ｄ１を入力せずに、キャンセルキーＫ７を押下する。なお、個人情報Ｄ１の転送完了には、パソコン４０のモニタ４３に図示しない入力情報確認画面を表示するようになされる。
【０２５６】
図２２は被撮影者５における指紋照合を含めた個人情報の入力例を示すフローチャートである。この例では、被撮影者（受験者５’）側には通信機能付きパソコン４０及び指紋リーダー９３が準備され、顔画像データＤfaを顔画像登録管理業者に登録した後、個人情報入力画面Ｐ４で、ネットワーク試験業者等の会員制業者のサーバー１へ個人情報Ｄ１を送信する場合を例に挙げる。また、個人情報Ｄ１の転送完了には、パソコン４０のモニタ４３に入力情報確認画面を表示するようになされる。
【０２５７】
これらを個人情報Ｄ１の入力条件にして、図２２に示すフローチャートのステップＲ１で受験者（被撮影者）５’は、例えば、自分のパソコン４０からネットワーク試験業者等の会員制業者のＷｅｂサイトへアクセスする。このとき、ネットワーク試験業者のサーバー１には、インターネットや公衆電話回線等の通信手段２を通じて接続される。
【０２５８】
そして、ネットワーク試験業者等のサーバー１を接続した後、ステップＲ２でマウス４１やキーボード４２を使用して画像ＩＤ番号及びパスワードＰＷを入力すると共に、指紋リーダー９３を使用して被撮影者５の指紋（生体情報）を読み取るようになされる。このとき、パソコン４０のモニタ画面には、「０１２０  ２５３８  ２５５４  ２５６７」の画像ＩＤ番号や、「＊＊＊＊＊」等のパスワードＰＷが表示される。更に、指紋リーダー９３によって読み取られた指紋検出信号はパソコン４０に出力される。
【０２５９】
このパソコン４０において、図３に示したシステムコントローラー２５は、指紋検出信号に基づく被撮影者特有の指紋情報と、図１６で登録した被撮影者５の指紋情報とが照合処理される。この照合処理では、例えば、顔画像サーバー３２にアクセスして先に登録した被撮影者５の指紋情報を照会するように処理される。この照合処理の結果で、個人情報入力画面Ｐ４の指紋照合欄の右隣りの記述領域ｗ１４には、「適合」の文字情報が表示される。また、指紋入力だけで、キーボードによるパスワードを行わなかった場合は、パスワード「＊＊＊＊＊」の表示が省略される。
【０２６０】
このパスワード表示領域の下方には、ステップＲ３で例えば、第１の実施例と同様にして、３０万画素以下の解像度で被撮影者５の顔全体縮小画像Ｇ０を表示するようになされる。そして、ステップＲ４で被撮影者５の特徴画像Ｇ７を表示するようになされる。この特徴画像Ｇ７は被撮影者５の左右の目を中心としたその周辺部位を含む拡大映像である。これは被撮影者５の顔画像を部分拡大した画素で本人確認（判別）を容易するためである。
【０２６１】
この個人情報入力画面Ｐ４には被撮影者５の顔全体縮小画像Ｇ０及び特徴画像Ｇ７の他に、例えば、特徴画像Ｇ７の下方に、アップ用のキーＫ４、ダウン用のキーＫ５が表示される。このアップ及びダウン用のキーＫ４、Ｋ５の表示領域の下方には、個人情報Ｄ１の入力するための３つの記述領域ｗ１〜Ｗ３が表示される。
【０２６２】
被撮影者５は、モニタ４３に表示された顔画像の内容を確認し、予め顔画像サーバー３２へアップロードされた顔画像データＤfaを採用するか否かをステップＲ５で判断する。アップロードが良好で当該顔画像は本人であると確認し、この顔画像データＤfaを採用する場合は、ステップＲ６に移行して受験者５’は個人情報Ｄ１を入力する。このとき、キーボード４２を使用して、記述領域ｗ１１には名前が入力され、記述領域ｗ１２には住所が入力され、記述領域ｗ１３には生年月日が入力される。
【０２６３】
その後、ステップＲ７に移行して送信キーＫ６をマウス４１によってクリックする。このマウスクリックによって、第１の実施例と同様にして、パソコン４０からネットワーク試験業者等のサーバー１へ受験者５’の個人情報Ｄ１を転送するようになされる。個人情報Ｄ１が転送完了すると、ステップＲ８に移行してパソコン４０のモニタ４３には図示しない入力情報確認画面を表示し、ステップＲ９で個人情報Ｄ１の入力を確認するようになされる。
【０２６４】
このとき、個人情報Ｄ１の入力確認「ＯＫ」の場合は、ステップＲ１０に移行して元データを削除して入力処理を終了する。元データの削除は個人情報Ｄ１の流出を防止するためである。ステップＲ９で個人情報Ｄ１の入力確認「ＮＧ」の場合は、ステップＲ３の個人情報入力画面Ｐ４に戻って上述した処理を繰り返すようになされる。
【０２６５】
また、上述のステップＲ５で当該顔画像が本人のものではないことを確認し、この顔画像データＤfaを不採用とする場合は、ステップＲ１１に移行してキャンセルキーＫ７を押下する。このキャンセルキーＫ７を押下することによって個人情報Ｄ１の入力するための３つの記述領域ｗ１１〜ｗ１３の表示は削除される。また、既に入力してしまった個人情報Ｄ１については、その送信がキャンセルされる。
【０２６６】
このようにして、本発明に係る第５の実施例としての撮影画像登録システム及び撮影画像登録方法によれば、被撮影者側には通信機能付きパソコン４０及び指紋リーダー９３が備えられ、顔画像データＤfaを顔画像登録管理業者に登録した後、パソコン４０の個人情報入力画面Ｐ２で、パスワードＰＷを入力すると共に指紋リーダ９３を使用して本人の指紋を入力し、その指紋照合処理をした後に、ネットワーク試験業者のサーバー１へ個人情報Ｄ１を送信するようになされる。
【０２６７】
従って、他人になりすました冒認者の個人情報を入力される危険性を無くすことができ、本人識別情報としての信頼性を向上させることができる。しかも、被撮影者５の指紋の特徴をパスワードとなされるので、撮影時における被撮影者５のパスワードＰＷの秘匿性を確保することができる。なお、生体情報は指紋に限られることはなく、虹彩、網膜、ＤＮＡ等を適用することができる。また、本人識別情報は、被撮影者５の複数の生体情報から作成するようにしてもよい。
【産業上の利用可能性】
【０２６８】
この発明は、パスポートや、身分証明書、図書館利用カード、各種学校における学生証等に形成する顔写真を電子データで提供する顔画像団体撮影サービスシステム等に適用して極めて好適である。
【図面の簡単な説明】
【０２６９】
【図１】本発明の実施形態としての撮影画像登録システム１００の構成例を示す概念図である。
【図２】撮影画像登録システムを応用したネット試験受験システム１０１における処理例を示す構成図である。
【図３】カメラ２１の内部構成例を示すブロック図である。
【図４】団体撮影用の撮影受付カード１０の構成例を示す図である。
【図５】撮影受付カード１０の作成例を示すフローチャートである。
【図６】（Ａ）は、撮影者による操作例、（Ｂ）はカメラ２１の動作例を各々示すフローチャートである。
【図７】本発明に係る第１の実施例としての被撮影者における個人情報入力時の構成例を示す図である。
【図８】その被撮影者における個人情報の入力例を示すフローチャートである。
【図９】本発明に係る第２の実施例としての撮影画像登録システム１００で適用する団体撮影用の二連式の撮影受付カード５０の構成例を示す図である。
【図１０】二連式の撮影受付カード５０の作成例を示すフローチャートである。
【図１１】（Ａ）は、撮影者による顔画像の撮影例、（Ｂ）は顔画像撮影時のカメラ２１の動作例を各々示すフローチャートである。
【図１２】本発明に係る第３の実施例としての撮影画像登録システム１００で適用する団体撮影用の仮パスワード付きの撮影受付カード６０の構成例を示す図である。
【図１３】被撮影者における事前パスワード変更時の構成例を示す図である。
【図１４】被撮影者における事前パスワード変更例を示すフローチャートである。
【図１５】本発明に係る第４の実施例としての撮影画像登録システム１００で適用する団体撮影用のパスワードメモ欄付きの撮影受付カード９０の構成例を示す図である。
【図１６】撮影画像登録システム１００におけるパスワード設定時の構成例を示す図である。
【図１７】顔画像撮影システム２０における顔撮影時のパスワード設定例（その１）を示すフローチャートである。
【図１８】顔画像撮影システム２０における顔撮影時のパスワード設定例（その２）を示すフローチャートである。
【図１９】顔画像データのアップロード時の構成例を示す図である。
【図２０】顔画像データのアップロード時の処理例を示すフローチャートである。
【図２１】本発明に係る第５の実施例としての被撮影者５における指紋照合を含めた個人情報入力時の構成例を示す図である。
【図２２】その被撮影者５における指紋照合を含めた個人情報の入力例を示すフローチャートである。
【符号の説明】
【０２７０】
１  サーバー
２  通信手段
６  カード作成システム
９  受験カード
１０，５０，６０，９０  撮影受付カード
１３  画像処理部
１４  バーコードリーダー
１６  圧縮／伸長部
１８  ＭＯ
２０  顔画像撮影システム
２１  カメラ
２２  画像表示部（モニタ）
２３  内蔵メモリ（記憶手段）
２４  操作部
２５  システムコントローラー（制御手段）
２６  表示制御部
２７  周辺機器インターフェース
２８  外部ＰＣインターフェース
２９  外付けモニタ
３０  画像情報登録装置
３１  情報管理装置
３２  顔画像サーバー（記憶手段）
３３  プリンタ
４０，７０，８０  パーソナルコンピュータ（情報処理装置）
１００  撮影画像登録システム
１０１  ネット試験受験システム
【図１】
2005072918.tif 000003
【図２】
2005072918.tif 000004
【図３】
2005072918.tif 000005
【図４】
2005072918.tif 000006
【図５】
2005072918.tif 000007
【図６】
2005072918.tif 000008
【図７】
2005072918.tif 000009
【図８】
2005072918.tif 000010
【図９】
2005072918.tif 000011
【図１０】
2005072918.tif 000012
【図１１】
2005072918.tif 000013
【図１２】
2005072918.tif 000014
【図１３】
2005072918.tif 000015
【図１４】
2005072918.tif 000016
【図１５】
2005072918.tif 000017
【図１６】
2005072918.tif 000018
【図１７】
2005072918.tif 000019
【図１８】
2005072918.tif 000020
【図１９】
2005072918.tif 000021
【図２０】
2005072918.tif 000022
【図２１】
2005072918.tif 000023
【図２２】
2005072918.tif 000024